(57)【要約】【課題】デュアルまたはマルチＭＡＣインスタンス接続性を使用してＷＴＲＵが動作している際の１または複数のＭＡＣインスタンスを再構成するシステムおよび方法を提供する。【解決手段】１または複数の二次ＭＡＣインスタンスを修正するＲＲＣ再構成情報を受信すると、ＷＴＲＵは再構成完了メッセージをマクロｅＮＢ（ＭｅＮＢ）に送信することができ、またＲＲＣフラグ、物理ダウンリンク制御チャネル（ＰＤＣＣＨ）命令（ＭｅＮＢ／ＳｅＮＢ）、ＭＡＣアクティブ化情報などのうちの１または複数によってトリガされる場合、スモールセルまたは二次ｅＮＢ（ＳｅＮＢ）に同期することができる。ＷＴＲＵは、特定のタイプのＲＲＣ再構成についてＳｅＮＢに同期可能であるが、他のタイプのＲＲＣ再構成については同期しない。ＷＴＲＵは３つ以上の無線アクセスネットワーク（ＲＡＮ）ノード（例えばｅＮＢ）と共に接続を確立しモビリティ手順を実行してもよい。【選択図】図６
2020048209.tif 000002
【特許請求の範囲】
【請求項１】
プロセッサを備えた無線送受信ユニット（ＷＴＲＵ）であって、
前記プロセッサは、少なくとも
第１の媒体アクセス制御（ＭＡＣ）インスタンスについての構成を受信し、
第２のＭＡＣインスタンスについての構成を受信し、
データ無線ベアラ（ＤＲＢ）についての構成を備える無線リソース制御（ＲＲＣ）メッセージを受信し、
前記ＤＲＢについての第１の無線リンク制御（ＲＬＣ）エンティティを前記第１のＭＡＣインスタンス（第１のＲＬＣ／ＭＡＣインスタンス）に関連付け、
前記ＤＲＢについての第２のＲＬＣエンティティを前記第２のＭＡＣインスタンス（第２のＲＬＣ／ＭＡＣインスタンス）に関連付け、
前記ＤＲＢに関連付けられたパケットデータコンバージェンスプロトコル（ＰＤＣＰ）プロトコルデータユニット（ＰＤＵ）を、ダウンリンクにおいて前記第１のＲＬＣ／ＭＡＣインスタンスおよび前記第２のＲＬＣ／ＭＡＣインスタンスの各々を介して受信し、
アップリンクにおいて、前記第１のＲＬＣ／ＭＡＣインスタンスまたは前記第２のＲＬＣ／ＭＡＣインスタンスのうちの１つを介して、前記ＤＲＢに関連付けられた少なくとも１つのＰＤＣＰ  ＰＤＵを送信し、前記ＲＲＣメッセージに含まれる前記ＤＲＢについての前記構成は、前記ＤＲＢに関連付けられた前記少なくとも１つのＰＤＣＰ  ＰＤＵが前記第１のＲＬＣ／ＭＡＣインスタンスを介して送信されるべきであるか、または前記第２のＲＬＣ／ＭＡＣインスタンスを介して送信されるべきであるかを決定するために使用される情報を含んでいる、
ように構成されたことを特徴とするＷＴＲＵ。
【請求項２】
前記ＲＲＣメッセージは、前記プロセッサが前記ＤＲＢに関連付けられた全てのアップリンクＰＤＣＰ  ＰＤＵを前記第１のＲＬＣ／ＭＡＣインスタンスを介して送信すべきであることを示していることを特徴とする請求項１に記載のＷＴＲＵ。
【請求項３】
前記ＷＴＲＵは、第１の進化型ノードＢ（ｅＮＢ）および第２のｅＮＢと通信しており、前記第１のｅＮＢは前記第１のＲＬＣエンティティに対応する前記ＤＲＢについての第３のＲＬＣエンティティを有し、前記第２のｅＮＢは前記第２のＲＬＣエンティティに対応する前記ＤＲＢについての第４のＲＬＣエンティティを有することを特徴とする請求項１に記載のＷＴＲＵ。
【発明の詳細な説明】
【技術分野】
【０００１】
本発明は、無線通信に関する。
【背景技術】
【０００２】
（関連出願の相互参照）
本出願は、２０１３年１０月３０日に出願された米国特許仮出願第６１／８９７，５５０号明細書、名称「Ｍｅｔｈｏｄｓ  ｆｏｒ  Ｃｏｎｎｅｃｔｉｖｉｔｙ  Ｒｏｂｕｓｔｎｅｓｓ  ｉｎ  Ｗｉｒｅｌｅｓｓ  Ｓｙｓｔｅｍｓ」、および２０１４年２月１０日に出願された米国特許仮出願第６１／９３７，９９０号明細書、名称「Ｍｅｔｈｏｄｓ  ｆｏｒ  Ｃｏｎｎｅｃｔｉｖｉｔｙ  Ｒｏｂｕｓｔｎｅｓｓ  ｉｎ  Ｗｉｒｅｌｅｓｓ  Ｓｙｓｔｅｍｓ」の利益を主張するものであり、それらの両方は、すべての目的において、それぞれの全体が本明細書に完全に記載されているかのように参照によって組み込まれる。
【０００３】
ＬＴＥ  Ｒ８（たとえば、単一セル動作）において、ワイヤレス送受信ユニット（ＷＴＲＵ）は、ＷＴＲＵ構成の１または複数の態様を再構成する（レイヤ３）／無線リソース制御（Radio Resource Control：ＲＲＣ）シグナリングを受信するように構成され得る。たとえば、ＲＲＣメッセージは、レイヤ１（Ｌ１）／物理（ＰＨＹ）レイヤパラメータおよび／またはレイヤ２（Ｌ２）パラメータ（たとえば、媒体アクセス制御（ＭＡＣ）、無線リンク制御（ＲＬＣ）、および／またはパケットデータコンバージェンスプロトコル（Packet Data Convergence Protocol：ＰＤＣＰ））のうちの１または複数の再構成を含むことがある。そのような再構成は、ハンドオーバ手順がトリガされ得るようにモビリティ制御要素を含むことがある。そのような再構成手順は、複数の進化型Ｎｏｄｅ  Ｂ（evolved Node B：ｅＮＢｓ）に接続されながらＷＴＲＵが動作しているとき、たとえば、各ｅＮＢが独立して、それ自体の送信をスケジューリングし、および／またはそれ自体のＬ１／Ｌ２／Ｌ３パラメータを構成する場合に、冗長でありおよび／または調整されていないことがある。
【発明の概要】
【０００４】
発明を実施するための形態においてさらに後述される簡略化された形態で概念の抜粋を導入するために、概要が提供される。この概要は、請求される主題の主要な特徴および／または不可欠な特徴を識別することは意図されておらず、また、請求される主題の範囲を限定するために使用されることも意図されていない。
【０００５】
デュアルまたはマルチＭＡＣインスタンス接続性を使用してＷＴＲＵが動作している際の１または複数のＭＡＣインスタンスの構成／再構成のためのシステムおよび方法が開示される。たとえば、１または複数の二次ＭＡＣインスタンスを修正するＲＲＣ再構成情報の受信をすると、ＷＴＲＵは、再構成完了メッセージをマクロｅＮＢ（ＭｅＮＢ）に送信することができ、また、たとえば、ＲＲＣ  ＰＤＵフォーマット、ＲＲＣフラグ、（たとえば、ＭｅＮＢ／ＳｅＮＢからの）物理ダウンリンク制御チャネル（ＰＤＣＣＨ）、および／またはＭＡＣアクティブ化情報などのうちの１または複数によってトリガされる場合、二次ｅＮＢ（ＳｅＮＢ）と関連付けられ得る１または複数のセルに同期することができる。例では、ＷＴＲＵは、特定のタイプのＲＲＣ再構成についてＳｅＮＢに同期することができるが、他のタイプのＲＲＣ再構成については同期しない。デュアルコネクティビティ（dual connectivity）に関して例が説明され得るが、ＷＴＲＵは、３つ以上の無線アクセスネットワーク（ＲＡＮ）ノード（たとえばｅＮＢ）と共に接続性を確立しモビリティ手順を実行してもよく、説明される方法およびシステムは、それらのシナリオに等しく適用可能であり得る。
【０００６】
たとえば、デュアルコネクティビティ（たとえば、および／またはマルチノード接続性）のために構成されたワイヤレス送受信ユニット（ＷＴＲＵ）における１または複数の無線インターフェースを再構成するための方法およびシステムが、開示される。ＷＴＲＵは、１または複数の無線インターフェースのための新しい構成を含む無線リソース制御（ＲＲＣ）接続再構成メッセージを受信することができる。ＲＲＣ接続再構成メッセージは、無線インターフェースのうちの１つを介して受信され得る。ＷＴＲＵは、新しい構成が全体的または部分的のいずれかで適用されることが可能かを決定することができる。たとえば、ＷＴＲＵは、新しい構成を１つの無線インターフェースに適用できるが、異なる無線インターフェースには適用できないことがある。ＷＴＲＵは、ＲＲＣ接続再構成が受信された無線インターフェースを介して、ＲＲＣ接続再構成メッセージに対する応答を送信することができる。応答は、新しい構成が全体的または部分的のいずれかで適用されることが可能であるかを示すことができる。ＷＴＲＵは、ＲＲＣ接続再構成メッセージの送信のために使用されたのと異なる無線インターフェースを介した再構成の帰結（outcome）を示して、たとえば、ＷＴＲＵが接続されている他のＲＡＮノードに、ＲＲＣ手順（たとえば再構成）の帰結を知らせることができる。そのような表示は、異なる無線インターフェースを介して同期化手順を実行することとして参照され得る。
【０００７】
たとえば、同期化は、ＲＲＣ接続再構成メッセージの送信およびＲＲＣ接続再構成メッセージに対応する応答のために使用されたのと異なる無線インターフェースの、ランダムアクセス手順、サウンディング基準信号（ＳＲＳ）送信、または、専用にされたスケジューリング要求（dedicated scheduling request：Ｄ−ＳＲ）手順のうちの１または複数を実行することを含むことができる。ランダムアクセス手順、ＳＲＳ送信、またはＤ−ＳＲ手順は、再構成の帰結を示し、再構成されたインターフェースを介してＷＴＲＵが成功裏に送信および／または受信できることを確認することができる。
【０００８】
無線インターフェースのそれぞれは、ＷＴＲＵのＵｕインターフェースであり得る。無線インターフェースのそれぞれは、それぞれの媒体アクセス制御（ＭＡＣ）インスタンスと関連付けられ得る。たとえば、ＲＲＣ接続再構成メッセージの送信のために使用される無線インターフェースは、マクロ進化型Ｎｏｄｅ  Ｂ（ＭｅＮＢ）および一次ＭＡＣインスタンスと関連付けられ得る。異なる無線インターフェースは、二次進化型ノード  Ｂ（ＳｅＮＢ）および二次ＭＡＣインスタンスと関連付けられ得る。ＷＴＲＵのためのシグナリング無線ベアラ（Signaling radio bearer：ＳＲＢ）は、ＭｅＮＢに配置されたＲＲＣインスタンスで終端され得る。
【０００９】
たとえば、ＷＴＲＵは、物理ダウンリンク制御チャネル（ＰＤＣＣＨ）送信における表示を受信すること、ＲＲＣ接続再構成メッセージにおける表示を受信すること、または媒体アクセス制御（ＭＡＣ）制御要素（ＣＥ）における表示を受信することのうちの１または複数に基づいて、再構成の帰結を示すようにトリガされ得る。ＷＴＲＵは、Ｌ３手順のタイプ、またはＲＲＣ接続再構成メッセージによってトリガされたＬ３手順の影響のうちの１または複数に基づいて、再構成の帰結を示すようにトリガされ得る。たとえば、再構成の帰結を示すようにＷＴＲＵをトリガするＬ３手順の影響は、異なる無線インターフェースの再構成であり得る。ＷＴＲＵは、二次ＭＡＣインスタンスから一次ＭＡＣインスタンスへのベアラモビリティ（bearer mobility）を要求するようにトリガされることができ、それは、おそらくは、たとえば、いくつかのシナリオの中で特に、再構成手順の帰結が、ＷＴＲＵが更新された構成を異なる無線インターフェースに適用することができないこと、および／または異なる無線インターフェースが二次媒体アクセス制御（ＭＡＣ）インスタンスと関連付けられることであるときになされる。二次ＭＡＣインスタンスから一次ＭＡＣインスタンスへのベアラモビリティはまた、二次ＭＡＣインスタンスと関連付けられた無線インターフェースでの無線リンク失敗の発生に基づいてトリガされ得る。ＷＴＲＵは、再構成手順の失敗に基づいて、二次ＭＡＣインスタンスのための古い構成に戻ることができる。
【００１０】
ＷＴＲＵは、おそらくは、たとえば、いくつかのシナリオの中で特に、マルチフローが制御プレーン（ＣＰ）のために使用される場合、与えられたＲＲＣ手順に使用するためのＬ２パスを、実行されるべきＲＲＣ手順のタイプに応じて選択するように構成され得る。ＷＴＲＵはＲＲＣ応答（たとえば、成功／失敗）をＭｅＮＢへ、その関連付けられたＵｕインターフェースを介して送信しながら、同期化手順を使用してＲＲＣ手順の帰結および／または結果（result）をＳｅＮＢに対して示すことができ、それは、おそらくは、たとえば、いくつかのシナリオの中で特に、ＭｅＮＢを含むＬ２パスを介してＣＰが確立される場合にすることができるが、おそらくは、いくつかの実施形態においてＳｅＮＢを含むＬ２パスではそうではない。
【００１１】
さらに、ランダムアクセスチャネル（random access channel：ＲＡＣＨ）、サウンディング基準信号（ＳＲＳ）、および／または専用にされたスケジューリング要求（Ｄ−ＳＲ）などのうちの１または複数を使用して同期化手順を実行するためのシステムおよび方法が説明される。二次ＭＡＣインスタンスに適用可能なＲＲＣ手順の失敗処理のためのシステムおよび方法が説明される。二次ＭＡＣインスタンス上のＤ−ＳＲ／ＲＡＣＨ失敗、複数のｅＮＢにわたるカウンタチェック（counter-check）手順、および／またはＵＬでないがＤＬのマルチフローの場合のＬ２制御情報のＬ２移送などに関して、ベアラモビリティ（例えば、ＳｅＮＢからＭｅＮＢへのベアラモビリティ、ＳｅＮＢからＳｅＮＢなど）があると、セキュリティおよび再キーイング（re-keying）を実行するために、ＭｅＮＢへの通知およびベアラ再確立要求を送るためのシステムおよび方法が説明される。二次ＭＡＣインスタンスにおける使用不可（たとえばＲＬＦ）の期間中に、与えられたＭＡＣインスタンス（たとえば一次ＭＡＣインスタンス）へのフォールバックを実行するための方法が提供される。ＲＬＦが検出された二次ＭＡＣインスタンスにマッピングされた無線ベアラと関連付けられたデータが、一次ＭＡＣインスタンスのような１または複数の他のＭＡＣインスタンスに再マッピングされ得る。
【００１２】
実施形態は、第１の媒体アクセス制御（ＭＡＣ）インスタンスおよび第２のＭＡＣインスタンスを介した通信のために構成されることができるワイヤレス送受信ユニット（ＷＴＲＵ）のための１または複数の技法を企図している。１または複数の技法は、第２のＭＡＣインスタンスに対する再構成を含むことができる無線リソース制御（ＲＲＣ）接続再構成メッセージを受信することを含むことができる。第２のＭＡＣインスタンスは、第１のサービングセルとの関連付けを含むことができる。再構成は、第２のＭＡＣインスタンスを第２のサービングセルに関連付けるためのモビリティ制御情報を含むことができる。１または複数の技法は、第２のＭＡＣインスタンスを第２のサービングセルに関連付けるためのモビリティ制御情報においてランダムアクセスチャネル（ＲＡＣＨ）情報が存在するか不在であるかを決定することを含むことができる。１または複数の技法は、第２のＭＡＣインスタンスを第２のサービングセルに関連付けるためのモビリティ制御情報におけるＲＡＣＨ情報の存在または不在のいずれかに基づいて、第２のサービングセルに対してＲＡＣＨ手順を実行することを含むことができる。１または複数の技法は、ＲＡＣＨ手順に対する応答に基づいて、第２のサービングセルを第２のＭＡＣインスタンスに関連付けることを含むことができる。
【００１３】
実施形態は、ワイヤレス送受信ユニット（ＷＴＲＵ）が第１の媒体アクセス制御（ＭＡＣ）インスタンスを介した通信のために構成されることができるＷＴＲＵのための１または複数の技法を企図している。１または複数の技法は、第２のＭＡＣインスタンスを追加するための再構成を含むことができる無線リソース制御（ＲＲＣ）接続再構成メッセージを受信することを含むことができる。第２のＭＡＣインスタンスは、サービングセルとの関連付けを含むことができる。再構成は、第２のＭＡＣインスタンスをサービングセルに関連付けるためのモビリティ制御情報を含むことができる。１または複数の技法は、第２のＭＡＣインスタンスをサービングセルに関連付けるためのモビリティ制御情報においてランダムアクセスチャネル（ＲＡＣＨ）情報が存在するか不在であるかを決定することを含むことができる。１または複数の技法は、第２のＭＡＣインスタンスをサービングセルに関連付けるためのモビリティ制御情報におけるＲＡＣＨ情報の存在または不在のいずれかに基づいて、サービングセルに対してＲＡＣＨ手順を実行することを含むことができる。１または複数の技法は、ＲＡＣＨ手順に対する応答に基づいて、サービングセルと共に第２のＭＡＣインスタンスを確立することを含むことができる。
【００１４】
実施形態は、プロセッサを備えることができるワイヤレス送信／受信ユニット（ＷＴＲＵ）を企図し、プロセッサは、第１の媒体アクセス制御（ＭＡＣ）インスタンスおよび第２のＭＡＣインスタンスに対する構成を受信するように構成され得る。プロセッサは、構成に基づいて、データ無線ベアラ（ＤＲＢ）のための第１の無線リンク制御（ＲＬＣ）エンティティを第１のＭＡＣインスタンス（たとえば、第１のＲＬＣ／ＭＡＣインスタンス）にマッピングするように構成され得る。プロセッサは、構成に基づいて、ＤＲＢのための第２のＲＬＣエンティティを第２のＭＡＣインスタンス（たとえば、第２のＲＬＣ／ＭＡＣインスタンス）にマッピングするように構成され得る。プロセッサは、構成に基づいて、アップリンク送信のために第１のＲＬＣ／ＭＡＣインスタンスまたは第２のＲＬＣ／ＭＡＣインスタンスの少なくとも一方へ１または複数のパケットデータコンバージェンスプロトコル（ＰＤＣＰ）プロトコルデータユニット（ＰＤＵ）を向けるように、ＰＤＣＰエンティティに指示するように構成され得る。
【００１５】
実施形態は、ワイヤレス送受信ユニット（ＷＴＲＵ）が第１の媒体アクセス制御（ＭＡＣ）インスタンスおよび第２のＭＡＣインスタンスを介した通信のために構成されることができるＷＴＲＵのための１または複数の技法を企図している。１または複数の技法は、第２のＭＡＣインスタンスに対する再構成を含むことができる無線リソース制御（ＲＲＣ）接続再構成メッセージを受信することを含むことができる。１または複数の技法は、第２のＭＡＣインスタンスに対する再構成の少なくとも一部を実装することを含むことができる。１または複数の技法は、第２のＭＡＣインスタンスに対する再構成の少なくとも一部の実装が失敗したと決定することを含むことができる。１または複数の技法は、第２のＭＡＣインスタンスに対する再構成の失敗の通知を送ることを含むことができる。
【図面の簡単な説明】
【００１６】
添付された図面を参照して、例示的な実施形態の以下の詳細な説明が提供される。例示を目的として、図面は例示的な実施形態を示す。企図された主題は、説明または図示される特定の要素および／または手段に限定されない。また、逆に特定の言及がなければ、必要および／または不可欠であると企図される主題はない。また、説明される実施形態は、任意の組合せ、全部、または一部が使用され得る。
【図１Ａ】１または複数の開示される実施形態が実装され得る例示的な通信システムのシステム図である。
【図１Ｂ】図１Ａに示された通信システム内で使用され得る例示的なワイヤレス送信／受信ユニット（ＷＴＲＵ）のシステム図である。
【図１Ｃ】図１Ａに示された通信システム内で使用され得る例示的な無線アクセスネットワークおよび例示的なコアネットワークのシステム図である。
【図１Ｄ】図１Ａに示された通信システム内で使用され得る別の例示的な無線アクセスネットワークおよび例示的なコアネットワークのシステム図である。
【図１Ｅ】図１Ａに示された通信システム内で使用され得る別の例示的な無線アクセスネットワークおよび例示的なコアネットワークのシステム図である。
【図２】実施形態に適合するデュアルコネクティビティの例のシステム図である。
【図３】実施形態に適合するデュアルコネクティビティに使用される例示的なプロトコル階層の図である。
【図４】実施形態に適合するデュアルコネクティビティの確立の例のシステム図である。
【図５】実施形態に適合するデュアルコネクティビティの確立の例のシステム図である。
【図６】実施形態に適合するデュアルコネクティビティの構成の例示的な技法を示す図である。
【発明を実施するための形態】
【００１７】
次に、例示的な実施形態の詳細な説明が様々な図を参照して説明される。この説明は、可能な実装形態の詳細な例を提供するが、その詳細は例として意図され、本出願の範囲を限定することは全く意図されていないことに留意されたい。本明細書で使用される場合、冠詞「ａ」または「ａｎ」は、さらなる修飾または特徴付けがなければ、たとえば「１または複数」または「少なくとも１つ」を意味すると理解され得る。また、本明細書で使用される場合、ユーザ機器（ＵＥ）という表現は、ワイヤレス送信／受信ユニット（ＷＴＲＵ）という表現と同じものを意味すると理解され得る。
【００１８】
図１Ａは、１または複数の開示される実施形態が実装され得る例示的な通信システム１００の図である。通信システム１００は、音声、データ、ビデオ、メッセージング、放送などのコンテンツを複数のワイヤレスユーザに提供する、多重アクセスシステムとすることができる。通信システム１００は、複数のワイヤレスユーザが、ワイヤレス帯域幅を含むシステムリソースの共有を通じて、そうしたコンテンツにアクセスすることを可能にすることができる。たとえば、通信システム１００は、符号分割多重アクセス（ＣＤＭＡ）、時分割多重アクセス（ＴＤＭＡ）、周波数分割多重アクセス（ＦＤＭＡ）、直交ＦＤＭＡ（ＯＦＤＭＡ）、シングルキャリアＦＤＭＡ（ＳＣ−ＦＤＭＡ）など、１または複数のチャネルアクセス方法を採用することができる。
【００１９】
図１Ａに示されるように、通信システム１００は、ワイヤレス送信／受信ユニット（ＷＴＲＵ）１０２ａ、１０２ｂ、１０２ｃおよび／または１０２ｄ（これらは一般的または集合的にＷＴＲＵ１０２と呼ばれることがある）、無線アクセスネットワーク（ＲＡＮ）１０３／１０４／１０５、コアネットワーク１０６／１０７／１０９、公衆交換電話網（ＰＳＴＮ）１０８、インターネット１１０、ならびに他のネットワーク１１２を含むことができるが、開示されている実施形態は、任意の数のＷＴＲＵ、基地局、ネットワーク、および／またはネットワーク要素を企図していることは理解されよう。ＷＴＲＵ１０２ａ、１０２ｂ、１０２ｃ、１０２ｄのそれぞれは、ワイヤレス環境において動作および／または通信するように構成された任意のタイプのデバイスであり得る。例として、ＷＴＲＵ１０２ａ、１０２ｂ、１０２ｃ、１０２ｄは、ワイヤレス信号を送信および／または受信するように構成されることが可能であり、ユーザ機器（ＵＥ）、移動局、固定または移動加入者ユニット、ページャ、セルラー電話、携帯情報端末（ＰＤＡ）、スマートフォン、ラップトップ、ネットブック、パーソナルコンピュータ、ワイヤレスセンサ、および家庭用電化製品などを含むことができる。
【００２０】
通信システム１００は、基地局１１４ａおよび基地局１１４ｂを含むこともできる。基地局１１４ａ、１１４ｂのそれぞれは、コアネットワーク１０６／１０７／１０９、インターネット１１０、および／またはネットワーク１１２などの１または複数の通信ネットワークへのアクセスを促進するために、ＷＴＲＵ１０２ａ、１０２ｂ、１０２ｃ、１０２ｄのうちの少なくとも１つとワイヤレスでインターフェースを取るように構成された任意のタイプのデバイスとすることができる。例として、基地局１１４ａ、１１４ｂは、トランシーバ基地局（ＢＴＳ）、Ｎｏｄｅ−Ｂ、ｅＮｏｄｅ  Ｂ、ホームＮｏｄｅ  Ｂ、ホームｅＮｏｄｅ  Ｂ、サイトコントローラ、アクセスポイント（ＡＰ）、およびワイヤレスルータなどとすることができる。基地局１１４ａ、１１４ｂはそれぞれ単一の要素として示されているが、基地局１１４ａ、１１４ｂが任意の数の相互接続された基地局および／またはネットワーク要素を含むことができることは理解されよう。
【００２１】
基地局１１４ａは、ＲＡＮ１０３／１０４／１０５の一部であってよく、ＲＡＮ１０３／１０４／１０５は、基地局コントローラ（ＢＳＣ）、無線ネットワークコントローラ（ＲＮＣ）、中継ノードなど、他の基地局および／またはネットワーク要素（図示せず）を含むこともできる。基地局１１４ａおよび／または基地局１１４ｂは、特定の地理的領域内でワイヤレス信号を送信および／または受信するように構成されることが可能であり、特定の地理的領域はセル（図示せず）と呼ばれることがある。セルは、セルセクタへとさらに分割され得る。たとえば、基地局１１４ａと関連付けられたセルは、３つのセクタへと分割され得る。したがって、一実施形態では、基地局１１４ａは、３つのトランシーバ、すなわち、セルのセクタごとに１つのトランシーバを含むことができる。別の実施形態では、基地局１１４ａは、多入力多出力（ＭＩＭＯ）技術を採用することができ、したがって、セルのセクタごとに複数のトランシーバを利用することができる。
【００２２】
基地局１１４ａ、１１４ｂは、エアインターフェース１１５／１１６／１１７を介してＷＴＲＵ１０２ａ、１０２ｂ、１０２ｃ、１０２ｄのうちの１または複数と通信することができ、エアインターフェース１１５／１１６／１１７は、任意の適切なワイヤレス通信リンク（たとえば、無線周波数（ＲＦ）、マイクロ波、赤外線（ＩＲ）、紫外線（ＵＶ）、可視光など）であり得る。エアインターフェース１１５／１１６／１１７は、任意の適切な無線アクセス技術（ＲＡＴ）を使用して確立され得る。
【００２３】
より具体的には、上述されたように、通信システム１００は、多重アクセスシステムとすることができ、ＣＤＭＡ、ＴＤＭＡ、ＦＤＭＡ、ＯＦＤＭＡ、およびＳＣ−ＦＤＭＡなどの１または複数のチャネルアクセス方式を採用することができる。たとえば、ＲＡＮ１０３／１０４／１０５内の基地局１１４ａ、およびＷＴＲＵ１０２ａ、１０２ｂ、１０２ｃは、広帯域ＣＤＭＡ（ＷＣＤＭＡ）を使用してエアインターフェース１１５／１１６／１１７を確立することが可能な、ユニバーサル移動通信システム（ＵＭＴＳ）地上無線アクセス（ＵＴＲＡ）などの無線技術を実装することができる。ＷＣＤＭＡは、高速パケットアクセス（ＨＳＰＡ）および／または進化型ＨＳＰＡ（ＨＳＰＡ＋）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００２４】
別の実施形態では、基地局１１４ａおよびＷＴＲＵ１０２ａ、１０２ｂ、１０２ｃは、ロングタームエボリューション（ＬＴＥ）および／またはＬＴＥアドバンスト（ＬＴＥ−Ａ）を使用してエアインターフェース１１５／１１６／１１７を確立することが可能な、進化型ＵＭＴＳ地上無線アクセス（Ｅ−ＵＴＲＡ）などの無線技術を実装することができる。
【００２５】
他の実施形態では、基地局１１４ａおよびＷＴＲＵ１０２ａ、１０２ｂ、１０２ｃは、ＩＥＥＥ８０２．１６（すなわち、マイクロ波アクセス用世界的相互運用（ＷｉＭＡＸ）、ＣＤＭＡ２０００、ＣＤＭＡ２０００  １Ｘ、ＣＤＭＡ２０００  ＥＶ−ＤＯ、暫定標準（Interim Standard）２０００（ＩＳ−２０００）、暫定標準９５（ＩＳ−９５）、暫定標準８５６（ＩＳ−８５６）、移動通信用グローバルシステム（ＧＳＭ）、ＧＳＭ進化型高速データレート（ＥＤＧＥ）、およびＧＳＭ  ＥＤＧＥ（ＧＥＲＡＮ）などの無線技術を実装することができる。
【００２６】
図１Ａにおける基地局１１４ｂは、たとえば、ワイヤレスルータ、ホームＮｏｄｅ  Ｂ、ホームｅＮｏｄｅ  Ｂ、またはアクセスポイントとすることができ、事業所、家庭、乗り物、キャンパスなどの局所的エリアにおけるワイヤレス接続性を促進するために任意の適切なＲＡＴを利用することができる。一実施形態では、基地局１１４ｂおよびＷＴＲＵ１０２ｃ、１０２ｄは、ワイヤレスローカルエリアネットワーク（ＷＬＡＮ）を確立するために、ＩＥＥＥ８０２．１１などの無線技術を実装することができる。別の実施形態では、基地局１１４ｂおよびＷＴＲＵ１０２ｃ、１０２ｄは、ワイヤレスパーソナルエリアネットワーク（ＷＰＡＮ）を確立するために、ＩＥＥＥ８０２．１５などの無線技術を実装することができる。さらに別の実施形態では、基地局１１４ｂおよびＷＴＲＵ１０２ｃ、１０２ｄは、ピコセルまたはフェムトセルを確立するために、セルラーベースのＲＡＴ（たとえば、ＷＣＤＭＡ、ＣＤＭＡ２０００、ＧＳＭ、ＬＴＥ、およびＬＴＥ−Ａなど）を利用することができる。図１Ａに示されるように、基地局１１４ｂは、インターネット１１０に対する直接接続を有することができる。したがって、基地局１１４ｂは、コアネットワーク１０６／１０７／１０９を介してインターネット１１０にアクセスするのを必要とされないことがある。
【００２７】
ＲＡＮ１０３／１０４／１０５は、コアネットワーク１０６／１０７／１０９と通信することができ、コアネットワーク１０６／１０７／１０９は、音声、データ、アプリケーションおよび／またはボイスオーバインターネットプロトコル（ＶｏＩＰ）サービスを、ＷＴＲＵ１０２ａ、１０２ｂ、１０２ｃ、１０２ｄの１または複数に提供するように構成された任意のタイプのネットワークとすることができる。たとえば、コアネットワーク１０６／１０７／１０９は、呼制御、課金サービス、モバイル位置ベースのサービス、プリペイド通話、インターネット接続性、およびビデオ配信などを提供することができ、ならびに／またはユーザ認証などの高レベルセキュリティ機能を実行することができる。図１Ａに示されていないが、ＲＡＮ１０３／１０４／１０５および／またはコアネットワーク１０６／１０７／１０９は、ＲＡＮ１０３／１０４／１０５と同じＲＡＴまたは異なるＲＡＴを採用する他のＲＡＮと直接または間接通信をすることができることは理解されよう。たとえば、Ｅ−ＵＴＲＡ無線技術を利用し得るＲＡＮ１０３／１０４／１０５に接続されることに加えて、コアネットワーク１０６／１０７／１０９は、ＧＳＭ無線技術を採用する別のＲＡＮ（図示せず）と通信することもできる。
【００２８】
コアネットワーク１０６／１０７／１０９は、ＷＴＲＵ１０２ａ、１０２ｂ、１０２ｃ、１０２ｄがＰＳＴＮ１０８、インターネット１１０、および／または他のネットワーク１１２にアクセスするためのゲートウェイとして働くこともできる。ＰＳＴＮ１０８は、基本電話サービス（ＰＯＴＳ）を提供する回線交換電話網を含むことができる。インターネット１１０は、ＴＣＰ／ＩＰインターネットプロトコルスイートにおける伝送制御プロトコル（ＴＣＰ）、ユーザデータグラムプロトコル（ＵＤＰ）、およびインターネットプロトコル（ＩＰ）などの一般的な通信プロトコルを使用する相互接続されたコンピュータネットワークおよびデバイスのグローバルシステムを含むことができる。ネットワーク１１２は、他のサービスプロバイダによって所有および／または運用される有線またはワイヤレス通信ネットワークを含むことができる。たとえば、ネットワーク１１２は、ＲＡＮ１０３／１０４／１０５と同じＲＡＴまたは異なるＲＡＴを採用することができる１または複数のＲＡＮに接続された別のコアネットワークを含むことができる。
【００２９】
通信システム１００におけるＷＴＲＵ１０２ａ、１０２ｂ、１０２ｃ、１０２ｄの一部または全部が、マルチモード機能を含むことができ、すなわち、ＷＴＲＵ１０２ａ、１０２ｂ、１０２ｃ、１０２ｄは、異なるワイヤレスリンクを介して異なるワイヤレスネットワークと通信するための複数のトランシーバを含むことができる。たとえば、図１Ａに示されるＷＴＲＵ１０２ｃは、セルラーベースの無線技術を採用できる基地局１１４ａ、およびＩＥＥＥ８０２無線技術を採用できる基地局１１４ｂと通信するように構成され得る。
【００３０】
図１Ｂは、例示的なＷＴＲＵ１０２のシステム図である。図１Ｂに示されるように、ＷＴＲＵ１０２は、プロセッサ１１８、トランシーバ１２０、送信／受信要素１２２、スピーカ／マイクロフォン１２４、キーパッド１２６、ディスプレイ／タッチパッド１２８、取り外し不能メモリ１３０、取り外し可能メモリ１３２、電源１３４、全地球測位システム（ＧＰＳ）チップセット１３６、および他の周辺機器１３８を含むことができる。ＷＴＲＵ１０２は、実施形態に適合しながら、上述の要素の任意の部分的組合せを含むことができることは理解されよう。また、実施形態は、基地局１１４ａおよび１１４ｂ、ならびに／または基地局１１４ａおよび１１４ｂが表し得るノード、たとえば、以下に限定されないが、特に、トランシーバ局（ＢＴＳ）、Ｎｏｄｅ−Ｂ、サイトコントローラ、アクセスポイント（ＡＰ）、ホームｎｏｄｅ−Ｂ、進化型ホームｎｏｄｅ−Ｂ（ｅＮｏｄｅＢ）、ホーム進化型ｎｏｄｅ−Ｂ（ＨｅＮＢ）、ホーム進化型ｎｏｄｅ−Ｂゲートウェイ、およびプロキシノードなどが、図１Ｂで図示され本明細書で説明される要素の一部または全部を含み得ることを企図している。
【００３１】
プロセッサ１１８は、汎用プロセッサ、専用プロセッサ、従来のプロセッサ、デジタル信号プロセッサ（ＤＳＰ）、複数のマイクロプロセッサ、ＤＳＰコアと関連する１または複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、および状態機械などであり得る。プロセッサ１１８は、信号符号化、データ処理、電力制御、入力／出力処理、および／またはＷＴＲＵ１０２がワイヤレス環境で動作することを可能にする任意の他の機能性を実行することができる。プロセッサ１１８は、トランシーバ１２０に結合されることができ、トランシーバ１２０は、送信／受信要素１２２に結合されることができる。図１Ｂはプロセッサ１１８およびトランシーバ１２０を別々のコンポーネントとして示すが、プロセッサ１１８およびトランシーバ１２０が電子的なパッケージまたはチップに一緒に統合され得ることは理解されよう。
【００３２】
送信／受信要素１２２は、エアインターフェース１１５／１１６／１１７を介して、基地局（たとえば基地局１１４ａ）に信号を送信する、または基地局から信号を受信するように構成され得る。たとえば、一実施形態では、送信／受信要素１２２は、ＲＦ信号を送信および／または受信するように構成されたアンテナとすることができる。別の実施形態では、送信／受信要素１２２は、たとえば、ＩＲ、ＵＶ、または可視光信号を送信および／または受信するように構成されたエミッタ／ディテクタとすることができる。さらに別の実施形態では、送信／受信要素１２２は、ＲＦ信号と光信号との両方を送信および受信するように構成され得る。送信／受信要素１２２が、ワイヤレス信号の任意の組合せを送信および／または受信するように構成され得ることは理解されよう。
【００３３】
加えて、送信／受信要素１２２は図１Ｂでは単一の要素として示されているが、ＷＴＲＵ１０２は任意の数の送信／受信要素１２２を含むことができる。より具体的には、ＷＴＲＵ１０２はＭＩＭＯ技術を採用することができる。したがって、一実施形態では、ＷＴＲＵ１０２は、エアインターフェース１１５／１１６／１１７を介してワイヤレス信号を送信および受信するための２つ以上の送信／受信要素１２２（たとえば、複数のアンテナ）を含むことができる。
【００３４】
トランシーバ１２０は、送信／受信要素１２２によって送信される信号を変調し、送信／受信要素１２２によって受信された信号を復調するように構成され得る。上述されたように、ＷＴＲＵ１０２はマルチモード機能を有することができる。したがって、トランシーバ１２０は、ＷＴＲＵ１０２がたとえばＵＴＲＡおよびＩＥＥＥ８０２．１１などの複数のＲＡＴを介して通信することを可能にするための複数のトランシーバを含むことができる。
【００３５】
ＷＴＲＵ１０２のプロセッサ１１８は、スピーカ／マイクロフォン１２４、キーパッド１２６、および／またはディスプレイ／タッチパッド１２８（たとえば、液晶ディスプレイ（ＬＣＤ）ディスプレイユニットまたは有機発光ダイオード（ＯＬＥＤ）ディスプレイユニット）に結合することができ、それらからユーザ入力データを受信することができる。プロセッサ１１８は、スピーカ／マイクロフォン１２４、キーパッド１２６、および／またはディスプレイ／タッチパッド１２８にユーザデータを出力することもできる。加えて、プロセッサ１１８は、取り外し不能メモリ１３０および／または取り外し可能メモリ１３２などの任意のタイプの適切なメモリの情報にアクセスし、そうしたメモリにデータを記憶することができる。取り外し不能メモリ１３０は、ランダムアクセスメモリ（ＲＡＭ）、読み出し専用メモリ（ＲＯＭ）、ハードディスク、または任意の他のタイプのメモリストレージデバイスを含むことができる。取り外し可能メモリ１３２は、加入者識別モジュール（ＳＩＭ）カード、メモリスティック、およびセキュアデジタル（ＳＤ）メモリカードなどを含むことができる。他の実施形態では、プロセッサ１１８は、サーバまたはホームコンピュータ（図示せず）などのＷＴＲＵ１０２に物理的に配置されていないメモリの情報にアクセスし、そうしたメモリにデータを記憶することができる。
【００３６】
プロセッサ１１８は、電源１３４から電力を受け取ることができ、ＷＴＲＵ１０２内の他のコンポーネントへの電力を分配および／または制御するように構成され得る。電源１３４は、ＷＴＲＵ１０２に給電するための任意の適切なデバイスとすることができる。たとえば、電源１３４は、１または複数の乾電池（たとえば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、および燃料電池などを含むことができる。
【００３７】
プロセッサ１１８は、ＧＰＳチップセット１３６にも結合されることができ、ＧＰＳチップセット１３６は、ＷＴＲＵ１０２の現在位置に関する位置情報（たとえば、経度および緯度）を提供するように構成され得る。ＧＰＳチップセット１３６からの情報に加えて、またはその情報の代わりに、ＷＴＲＵ１０２は、基地局（たとえば、基地局１１４ａ、１１４ｂ）からエアインターフェース１１５／１１６／１１７を介して位置情報を受信し、および／または２つ以上の近隣の基地局から受信されている信号のタイミングに基づいてその位置を決定することができる。ＷＴＲＵ１０２が、実施形態に適合しながら、任意の適切な位置決定方法によって位置情報を取得することができることは理解されよう。
【００３８】
プロセッサ１１８は、他の周辺機器１３８にさらに結合されることができ、他の周辺機器１３８は、追加的な特徴、機能性、および／または有線もしくはワイヤレス接続性を提供する１または複数のソフトウェアおよび／またはハードウェアモジュールを含むことができる。たとえば、周辺機器１３８は、加速度計、電子コンパス、衛星トランシーバ、デジタルカメラ（写真またはビデオ用）、ユニバーサルシリアルバス（ＵＳＢ）ポート、振動デバイス、テレビトランシーバ、ハンズフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、およびインターネットブラウザなどを含むことができる。
【００３９】
図１Ｃは、実施形態によるＲＡＮ１０３およびコアネットワーク１０６のシステム図である。上述されたように、ＲＡＮ１０３は、エアインターフェース１１５を介してＷＴＲＵ１０２ａ、１０２ｂ、１０２ｃと通信するためにＵＴＲＡ無線技術を採用することができる。ＲＡＮ１０３は、コアネットワーク１０６と通信することもできる。図１Ｃに示されるように、ＲＡＮ１０３は、Ｎｏｄｅ−Ｂ１４０ａ、１４０ｂ、１４０ｃを含むことができ、Ｎｏｄｅ−Ｂ１４０ａ、１４０ｂ、１４０ｃはそれぞれ、エアインターフェース１１５を介してＷＴＲＵ１０２ａ、１０２ｂ、１０２ｃと通信するための１または複数のトランシーバを含むことができる。Ｎｏｄｅ−Ｂ１４０ａ、１４０ｂ、１４０ｃは、ＲＡＮ１０３内の特定のセル（図示せず）とそれぞれ関連付けられ得る。ＲＡＮ１０３は、ＲＮＣ１４２ａ、１４２ｂを含むこともできる。ＲＡＮ１０３が、実施形態に適合しながら、任意の数のＮｏｄｅ−ＢおよびＲＮＣを含むことができることは理解されよう。
【００４０】
図１Ｃに示されるように、Ｎｏｄｅ−Ｂ１４０ａ、１４０ｂは、ＲＮＣ１４２ａと通信することができる。加えて、Ｎｏｄｅ−Ｂ１４０ｃは、ＲＮＣ１４２ｂと通信することができる。Ｎｏｄｅ−Ｂ１４０ａ、１４０ｂ、１４０ｃは、Ｉｕｂインターフェースを介してそれぞれのＲＮＣ１４２ａ、１４２ｂと通信することができる。ＲＮＣ１４２ａ、１４２ｂは、Ｉｕｒインターフェースを介して互いに通信することができる。ＲＮＣ１４２ａ、１４２ｂのそれぞれは、それぞれが接続されたそれぞれのＮｏｄｅ−Ｂ１４０ａ、１４０ｂ、１４０ｃを制御するように構成され得る。加えて、ＲＮＣ１４２ａ、１４２ｂのそれぞれは、アウターループ電力制御、負荷制御、アドミッション制御、パケットスケジューリング、ハンドオーバ制御、マクロダイバーシティ、セキュリティ機能、データ暗号化など、他の機能性を実行またはサポートするように構成され得る。
【００４１】
図１Ｃに示されるコアネットワーク１０６は、メディアゲートウェイ（ＭＧＷ）１４４、移動通信交換局（ＭＳＣ）１４６、サービングＧＰＲＳサポートノード（ＳＧＳＮ）１４８、および／またはゲートウェイＧＰＲＳサポートノード（ＧＧＳＮ）１５０を含むことができる。上述の要素のそれぞれはコアネットワーク１０６の一部として示されているが、これらの要素の任意のものが、コアネットワーク運用者以外のエンティティによって所有および／または運用され得ることは理解されよう。
【００４２】
ＲＡＮ１０３内のＲＮＣ１４２ａは、ＩｕＣＳインターフェースを介してコアネットワーク１０６内のＭＳＣ１４６に接続され得る。ＭＳＣ１４６は、ＭＧＷ１４４に接続され得る。ＭＳＣ１４６およびＭＧＷ１４４は、ＷＴＲＵ１０２ａ、１０２ｂ、１０２ｃにＰＳＴＮ１０８などの回線交換ネットワークへのアクセスを提供して、ＷＴＲＵ１０２ａ、１０２ｂ、１０２ｃと従来の固定電話回線通信デバイスとの間の通信を促進することができる。
【００４３】
ＲＡＮ１０３内のＲＮＣ１４２ａはまた、ＩｕＰＳインターフェースを介してコアネットワーク１０６内のＳＧＳＮ１４８に接続され得る。ＳＧＳＮ１４８は、ＧＧＳＮ１５０に接続され得る。ＳＧＳＮ１４８およびＧＧＳＮ１５０は、ＷＴＲＵ１０２ａ、１０２ｂ、１０２ｃにインターネット１１０などのパケット交換ネットワークへのアクセスを提供して、ＷＴＲＵ１０２ａ、１０２ｂ、１０２ｃとＩＰ対応デバイスとの間の通信を促進することができる。
【００４４】
上述されたように、コアネットワーク１０６は、他のサービスプロバイダによって所有および／または運用される他の有線またはワイヤレスネットワークを含むことができるネットワーク１１２にも接続され得る。
【００４５】
図１Ｄは、実施形態によるＲＡＮ１０４およびコアネットワーク１０７のシステム図である。上述されたように、ＲＡＮ１０４は、エアインターフェース１１６を介してＷＴＲＵ１０２ａ、１０２ｂ、１０２ｃと通信するためにＥ−ＵＴＲＡ無線技術を採用することができる。ＲＡＮ１０４は、コアネットワーク１０７と通信することもできる。
【００４６】
ＲＡＮ１０４はｅＮｏｄｅ−Ｂ１６０ａ、１６０ｂ、１６０ｃを含むことができるが、ＲＡＮ１０４が、実施形態に適合しながら、任意の数のｅＮｏｄｅ−Ｂを含むことができることは理解されよう。ｅＮｏｄｅ−Ｂ１６０ａ、１６０ｂ、１６０ｃはそれぞれ、エアインターフェース１１６を介してＷＴＲＵ１０２ａ、１０２ｂ、１０２ｃと通信するための１または複数のトランシーバを含むことができる。一実施形態では、ｅＮｏｄｅ−Ｂ１６０ａ、１６０ｂ、１６０ｃは、ＭＩＭＯ技術を実装することができる。したがって、ｅＮｏｄｅ−Ｂ１６０ａは、たとえば、複数のアンテナを使用して、ＷＴＲＵ１０２ａにワイヤレス信号を送信し、ＷＴＲＵ１０２ａからワイヤレス信号を受信することができる。
【００４７】
ｅＮｏｄｅ−Ｂ１６０ａ、１６０ｂ、１６０ｃのそれぞれは、特定のセル（図示せず）と関連付けられることができ、無線リソース管理判断、ハンドオーバ判断、ならびにアップリンクおよび／またはダウンリンクにおけるユーザのスケジューリングなどを処理するように構成され得る。図１Ｄに示されるように、ｅＮｏｄｅ−Ｂ１６０ａ、１６０ｂ、１６０ｃは、Ｘ２インターフェースを介して互いに通信することができる。
【００４８】
図１Ｄに示されるコアネットワーク１０７は、モビリティ管理ゲートウェイ（ＭＭＥ）１６２、サービングゲートウェイ１６４、およびパケットデータネットワーク（ＰＤＮ）ゲートウェイ１６６を含むことができる。上述の要素のそれぞれはコアネットワーク１０７の一部として示されているが、これらの要素の任意のものが、コアネットワーク運用者以外のエンティティによって所有および／または運用され得ることは理解されよう。
【００４９】
ＭＭＥ１６２は、Ｓ１インターフェースを介してＲＡＮ１０４内のｅＮｏｄｅ−Ｂ１６０ａ、１６０ｂ、１６０ｃのそれぞれに接続されることができ、制御ノードとして働くことができる。たとえば、ＭＭＥ１６２は、ＷＴＲＵ１０２ａ、１０２ｂ、１０２ｃのユーザの認証、ベアラのアクティブ化／非アクティブ化、およびＷＴＲＵ１０２ａ、１０２ｂ、１０２ｃの初期アタッチ中の特定のサービングゲートウェイの選択などを担当することができる。ＭＭＥ１６２は、ＲＡＮ１０４と、ＧＳＭまたはＷＣＤＭＡなどの他の無線技術を採用する他のＲＡＮ（図示せず）との間の切り替えのための制御プレーン機能を提供することもできる。
【００５０】
サービングゲートウェイ１６４は、Ｓ１インターフェースを介してＲＡＮ１０４内のｅＮｏｄｅ−Ｂ１６０ａ、１６０ｂ、１６０ｃのそれぞれに接続され得る。一般に、サービングゲートウェイ１６４は、ＷＴＲＵ１０２ａ、１０２ｂ、１０２ｃへ／からのユーザデータパケットをルーティングおよび転送することができる。サービングゲートウェイ１６４は、ｅＮｏｄｅＢ間のハンドオーバ中にユーザプレーンの固定すること、ダウンリンクのデータがＷＴＲＵ１０２ａ、１０２ｂ、１０２ｃに利用可能であるときにページングをトリガすること、ならびにＷＴＲＵ１０２ａ、１０２ｂ、１０２ｃのコンテキストを管理および記憶することなど、他の機能を実行することもできる。
【００５１】
サービングゲートウェイ１６４は、ＰＤＮゲートウェイ１６６に接続されることもでき、ＰＤＮゲートウェイ１６６は、ＷＴＲＵ１０２ａ、１０２ｂ、１０２ｃにインターネット１１０などのパケット交換ネットワークへのアクセスを提供して、ＷＴＲＵ１０２ａ、１０２ｂ、１０２ｃとＩＰ対応デバイスとの間の通信を促進することができる。
【００５２】
コアネットワーク１０７は、他のネットワークとの通信を促進することもできる。たとえば、コアネットワーク１０７は、ＷＴＲＵ１０２ａ、１０２ｂ、１０２ｃにＰＳＴＮ１０８などの回線交換ネットワークへのアクセスを提供して、ＷＴＲＵ１０２ａ、１０２ｂ、１０２ｃと従来の固定電話回線通信デバイスとの間の通信を促進することができる。たとえば、コアネットワーク１０７は、コアネットワーク１０７とＰＳＴＮ１０８との間のインターフェースとして働くＩＰゲートウェイ（たとえば、ＩＰマルチメディアサブシステム（ＩＭＳ）サーバ）を含むことができ、またはそうしたＩＰゲートウェイと通信することができる。加えて、コアネットワーク１０７は、ＷＴＲＵ１０２ａ、１０２ｂ、１０２ｃにネットワーク１１２へのアクセスを提供することができ、ネットワーク１１２は、他のサービスプロバイダによって所有および／または運用される他の有線またはワイヤレスネットワークを含むことができる。
【００５３】
図１Ｅは、実施形態によるＲＡＮ１０５およびコアネットワーク１０９のシステム図である。ＲＡＮ１０５は、エアインターフェース１１７を介してＷＴＲＵ１０２ａ、１０２ｂ、１０２ｃと通信するためにＩＥＥＥ８０２．１６無線技術を採用するアクセスサービスネットワーク（ＡＳＮ）とすることができる。さらに後で論じられるように、ＷＴＲＵ１０２ａ、１０２ｂ、１０２ｃ、ＲＡＮ１０５、およびコアネットワーク１０９の異なる機能エンティティの間の通信リンクは、参照点として定義され得る。
【００５４】
図１Ｅに示されるように、ＲＡＮ１０５は、基地局１８０ａ、１８０ｂ、１８０ｃ、およびＡＳＮゲートウェイ１８２を含むことができるが、ＲＡＮ１０５が、実施形態に適合しながら、任意の数の基地局およびＡＳＮゲートウェイを含むことができることは理解されよう。基地局１８０ａ、１８０ｂ、１８０ｃは、ＲＡＮ１０５内の特定のセル（図示せず）とそれぞれ関連付けられることができ、エアインターフェース１１７を介してＷＴＲＵ１０２ａ、１０２ｂ、１０２ｃと通信するための１または複数のトランシーバをそれぞれ含むことができる。一実施形態では、基地局１８０ａ、１８０ｂ、１８０ｃは、ＭＩＭＯ技術を実装することができる。したがって、基地局１８０ａは、たとえば、複数のアンテナを使用して、ＷＴＲＵ１０２ａにワイヤレス信号を送信し、ＷＴＲＵ１０２ａからワイヤレス信号を受信することができる。基地局１８０ａ、１８０ｂ、１８０ｃは、ハンドオフトリガ、トンネル確立、無線リソース管理、トラフィック分類、サービス品質（ＱｏＳ）ポリシー施行などのモビリティ管理機能を提供することもできる。ＡＳＮゲートウェイ１８２は、トラフィック集約点として働くことができ、ページング、加入者プロファイルのキャッシュ、およびコアネットワーク１０９へのルーティングなどを担当することができる。
【００５５】
ＷＴＲＵ１０２ａ、１０２ｂ、１０２ｃとＲＡＮ１０５との間のエアインターフェース１１７は、ＩＥＥＥ８０２．１６仕様を実装するＲ１参照点として定義され得る。加えて、ＷＴＲＵ１０２ａ、１０２ｂ、１０２ｃのそれぞれは、コアネットワーク１０９との論理インターフェース（図示せず）を確立することができる。ＷＴＲＵ１０２ａ、１０２ｂ、１０２ｃとコアネットワーク１０９との間の論理インターフェースは、認証、認可、ＩＰホスト構成管理、および／またはモビリティ管理のために使用され得るＲ２参照点として定義され得る。
【００５６】
基地局１８０ａ、１８０ｂ、１８０ｃのそれぞれの間の通信リンクは、ＷＴＲＵハンドオーバ、および基地局間のデータの転送を促進するためのプロトコルを含むＲ８参照点として定義され得る。基地局１８０ａ、１８０ｂ、１８０ｃとＡＳＮゲートウェイ１８２との間の通信リンクは、Ｒ６参照点として定義され得る。Ｒ６参照点は、ＷＴＲＵ１０２ａ、１０２ｂ、１０２ｃのそれぞれと関連付けられたモビリティイベントに基づいてモビリティ管理を促進するためのプロトコルを含むことができる。
【００５７】
図１Ｅに示されるように、ＲＡＮ１０５は、コアネットワーク１０９に接続され得る。ＲＡＮ１０５とコアネットワーク１０９との間の通信リンクは、たとえばデータ転送およびモビリティ管理機能を促進するためのプロトコルを含むＲ３参照点として定義され得る。コアネットワーク１０９は、モバイルＩＰホームエージェント（ＭＩＰ−ＨＡ）１８４、認証、認可、課金（ＡＡＡ）サーバ１８６、およびゲートウェイ１８８を含むことができる。上述の要素のそれぞれはコアネットワーク１０９の一部として示されているが、これらの要素の任意のものが、コアネットワーク運用者以外のエンティティによって所有および／または運用され得ることは理解されよう。
【００５８】
ＭＩＰ−ＨＡは、ＩＰアドレスの管理を担当することができ、異なるＡＳＮおよび／または異なるコアネットワークの間をＷＴＲＵ１０２ａ、１０２ｂ、１０２ｃがローミングすることを可能にすることができる。ＭＩＰ−ＨＡ１８４は、ＷＴＲＵ１０２ａ、１０２ｂ、１０２ｃにインターネット１１０などのパケット交換ネットワークへのアクセスを提供して、ＷＴＲＵ１０２ａ、１０２ｂ、１０２ｃとＩＰ対応デバイスとの間の通信を促進することができる。ＡＡＡサーバ１８６は、ユーザ認証およびユーザサービスのサポートを担当することができる。ゲートウェイ１８８は、他のネットワークとの相互作用を促進することができる。たとえば、ゲートウェイ１８８は、ＷＴＲＵ１０２ａ、１０２ｂ、１０２ｃにＰＳＴＮ１０８などの回線交換ネットワークへのアクセスを提供して、ＷＴＲＵ１０２ａ、１０２ｂ、１０２ｃと従来の固定電話回線通信デバイスとの間の通信を促進することができる。加えて、ゲートウェイ１８８は、ＷＴＲＵ１０２ａ、１０２ｂ、１０２ｃに、他のサービスプロバイダによって所有および／または運用される他の有線または無線ネットワークを含むことができるネットワーク１１２へのアクセスを提供することができる。
【００５９】
図１Ｅには示されていないが、ＲＡＮ１０５は他のＡＳＮに接続されてもよく、コアネットワーク１０９は他のコアネットワークに接続されてもよいことは理解されよう。ＲＡＮ１０５と他のＡＳＮとの間の通信リンクは、ＲＡＮ１０５と他のＡＳＮとの間でＷＴＲＵ１０２ａ、１０２ｂ、１０２ｃのモビリティを調整するためのプロトコルを含むことができるＲ４参照点として定義され得る。コアネットワーク１０９と他のコアネットワークとの間の通信リンクは、ホームコアネットワークと訪問されたコアネットワークとの間の相互作用を促進するためのプロトコルを含むことができるＲ５参照点として定義され得る。
【００６０】
本明細書に説明される方法およびシステム（たとえば、一般的原理、方法、および関係付けられた実施形態を含む）は、３ＧＰＰ  ＬＴＥ技術および関係付けられた仕様に基づいて説明され得るが、本明細書に説明される方法およびシステムは、複数のワイヤレスレイヤにアクセスするため、ならびに／または、Ｗｉｆｉ、ＷＣＤＭＡ、ＨＳＰＡ、ＨＳＵＰＡおよび／もしくはＨＳＤＰＡに基づく他の３ＧＰＰ技術などの複数の無線アクセス技術に接続するための方法を実装する任意のワイヤレス技術に等しく適用可能であり得る。
【００６１】
ＬＴＥ  Ｒ１０では、ｅＮＢ内（intra-eNB）マルチセル動作（たとえば、ｅＮＢ内キャリアアグリゲーション）が導入された。ＲＲＣ構成メッセージが、複数のセル（たとえば、一次セル（ＰＣｅｌｌ）および／または０個以上の二次セル（ＳＣｅｌｌ））におけるＷＴＲＵ動作に関連付けられたパラメータを再構成するために使用され得る。たとえば、ＲＲＣ再構成シグナリングが、１または複数のＳＣｅｌｌについての１または複数の構成されたパラメータを追加、修正、および／または除去するために使用され得る。
【００６２】
図２は、マクロノード（たとえばＭｅＮＢ）およびスモールセル（たとえばＳｅＮＢ）とデュアルコネクティビティ関係にあるＷＴＲＵの例示的なシステム図を示す。図３は、デュアルコネクティビティシナリオにおけるＭｅＮＢおよびＳｅＮＢの例示的なプロトコル階層を示す。
【００６３】
ＷＴＲＵは、おそらくは、たとえば、１または複数のセルを再構成できる１または複数のＲＲＣ手順が成功裏に完了すると、ＲＲＣメッセージ（たとえば、ＲＲＣ接続再構成完了メッセージ（RRC Connection Reconfiguration Complete message））を準備することができ、および／またはＲＲＣメッセージをｅＮＢに送って再構成手順が成功したことを示すことができる。メッセージは、手順をトリガした再構成メッセージによってシグナリングされたようにＷＴＲＵが構成を成功裏に適用したことを示すことができる。ＷＴＲＵは、おそらくは、たとえば、ＷＴＲＵがＲＲＣ接続再構成完了メッセージを準備すると、ｅＮＢへの送信のために、ＲＲＣ接続再構成完了メッセージを適切なシグナリング無線ベアラ（Signaling Radio Bearer：ＳＲＢ）にサブミットすることができる。
【００６４】
図４および図５は、ＭｅＮＢおよびＳｅＮＢとのデュアルコネクティビティを確立するネットワークノード（たとえば、ＭＭＥおよび／またはＳ−ＧＷ）の例示的なシステム図を示す。
【００６５】
ＷＴＲＵは、おそらくは、たとえば、いくつかのシナリオの中で特に、ＷＴＲＵがＲＲＣ接続再構成手順を成功裏に実行できない場合、再構成シグナリングの受信の前に使用されていた構成を維持することができる。ＷＴＲＵは、再構成失敗に設定された再確立理由によって、ＲＲＣ接続再確立手順（RRC Connection Re-establishment procedure）を開始することができる。
【００６６】
ＲＲＣ接続再構成完了メッセージおよび／またはＲＲＣ接続再確立メッセージの送信は、ＷＴＲＵが、おそらくは、それぞれ新しい（たとえば更新された）構成または古い構成のいずれかを使用して、無線エアインターフェースを介して依然として通信することができることを示すことができる。ＷＴＲＵは、おそらくは、たとえば、いくつかのシナリオの中で特に、ＷＴＲＵが（たとえば、スケジューリング要求のための）ランダムアクセス手順を実行することができる場合、そのアップリンク送信タイミングを同期すること、および／または（たとえば、おそらくは同期化中に）適切な送信電力を設定することができる。
【００６７】
ＷＴＲＵは、たとえば、いくつかのシナリオの中で特に、データがＳＲＢに関する送信に使用可能になり得るときに、スケジューリング要求（ＳＲ）をトリガすることができる。ＳＲは、たとえば、構成されおよび／もしくは使用可能であるなどの場合に、専用にされた物理アップリンク制御チャネル（ＰＵＣＣＨ）リソースを使用して（たとえば、Ｄ−ＳＲ）、ならびに／またはランダムアクセスチャネルを使用して（たとえば、ＲＡＣＨ、ＲＡ−ＳＲを使用して）実行され得る。
【００６８】
ＬＴＥ  Ｒ１２では（または後で、ｅＮＢ間キャリアアグリゲーションを使用するマルチセル動作の態様について）、ＷＴＲＵは、デュアルおよび／またはマルチセル接続性のある種の形態で構成され得る。たとえば、ＷＴＲＵは、異なるｅＮＢによってサービスされる、および／または独立してスケジューリングされる（たとえば、別個のＭＡＣインスタンスと関連付けられる）ことができる複数のセルに対して接続するように構成され得る。ＷＴＲＵは、ＷＴＲＵが、異なるｅＮＢに関連付けられたセルのリソースへのアクセスを有することができるように構成され得る。ネットワークは、たとえば、ＭｅＮＢにおいて終端する単一のＭＭＥ／Ｓ１−ｃ接続を使用して接続性を制御することができる。
【００６９】
制御プレーンの観点から、ＷＴＲＵは、第１のｅＮＢ（たとえばＭｅＮＢ）とのＲＲＣ接続を確立していることがある。いくつかの実施形態では、ＷＴＲＵは、１または複数のセルが第２のｅＮＢ（たとえばＳｅＮＢ）に関連付けられ得る構成を追加的にサポートすることができる。完了メッセージは、おそらくは、たとえば、ＲＲＣ接続がＭｅＮＢにおいて終端する場合、ＭｅＮＢにおけるＲＲＣエンティティによって受信され得る。ユーザプレーンアーキテクチャの観点から、ネットワークは、ＭｅＮＢにおいて（たとえば、ＭｅＮＢのみ、１もしくは複数またはすべてのＥＰＳベアラに関して）Ｓ１−ｕを終端させることができ、および／または、それは、（たとえば、１もしくは複数またはすべてのＥＰＳベアラに関して）ＳｅＮＢにおいてＳ１−ｕを（たとえば追加的に）終端させることができる。
【００７０】
ＳＲＢデータおよび／またはユーザプレーントラフィックのＬ２移送の観点から、与えられた無線ベアラに対するデータは、単一Ｌ２パス（たとえば、単一ＭＡＣインスタンス）を使用して、および／またはいずれのＬ２パス（たとえば、以下ではＤＬマルチフローと呼ばれる）も使用して、ネットワークからＷＴＲＵに送信され得る。アップリンクデータは、単一Ｌ２パスを使用して、および／またはいずれのＬ２パス（たとえば、以下ではＵＬマルチフローと呼ばれる）も使用して、ＷＴＲＵからネットワークに送信され得る。ＷＴＲＵは、ＭｅＮＢに関連付けられた一次ＭＡＣインスタンスと、ＳｅＮＢに関連付けられた二次ＭＡＣインスタンスとを有することができる。
【００７１】
本明細書における用語「一次ＭＡＣインスタンス」および「二次ＭＡＣインスタンスは、別々のプロセスとしてのＭＡＣインスタンスのいずれかを指すことができ、それぞれは、異なるｅＮＢ（たとえば、ＭｅＮＢおよびＳｅＮＢ）のセルに、ならびに／または第１のｅＮＢ（たとえばＭｅＮＢ）と第２のｅＮＢ（たとえばＳｅＮＢ）とに概念的に関連付けられたＵｕ（Ｌ１／ＰＨＹ）間の区別を付け得る単一ＭＡＣインスタンスに、概念的に関連付けられ得る。
【００７２】
一次ＭＡＣインスタンスは、（たとえば、ＰＣｅｌｌのレガシＲ１０定義に類似した）ＲＲＣ接続をＷＴＲＵが確立したＰＣｅｌｌを用いて構成されたＭＡＣインスタンスに対応し得る。二次ＭＡＣインスタンスは、たとえば専用にされたＰＵＣＣＨリソースへのアクセスなどのＰＣｅｌｌに実質的に類似した１もしくは複数の機能（および／またはそのような機能のサブセット）を実行するセルを用いて構成され得る。
【００７３】
ｅＮＢ間調整のある種の形態が、おそらくは、たとえば、ＷＴＲＵが複数のｅＮＢに対するＬ１／Ｌ２接続を用いて動作するとき、アクセスネットワーク内で実行され得る。そのようなｅＮＢ間調整は、いくつかのＷＴＲＵＬＩ、Ｌ２、および／またはＬ３手順に影響を与えることがある。たとえば、デュアルコネクティビティのためのＲＲＣ手順の実行中に、ＭｅＮＢ、ＳｅＮＢ、および／またはＷＴＲＵは、おそらくは、たとえば、いくつかの理由の中で特に、再構成の利用を始めるために、同期しおよび／または他の形でＲＲＣ手順の完了を示すように構成され得る。実施形態は、ある種の挙動が、再構成を実装するための知られている遅延を確立すること（たとえば、問題とされるｅＮＢの間のＸｎインターフェースの待ち時間に対応し得るまたはそれを超え得る構成された遅延が経過するのを待つこと）を含むことができることを認識している。たとえば、ＷＴＲＵは、ＲＲＣ手順の完了を示すために、ＳｅＮＢのＵｕ上でランダムアクセス手順を実行することができる。たとえば、ＭｅＮＢは、完了メッセージ（たとえばｅＮＢ間調整）の受信に続いてＳｅＮＢに向けてある種の形態の表示をシグナリングすることができる。
【００７４】
実施形態は、遅延および／またはｅＮＢ間調整を使用することが複数のノードにわたるある種の形態の同期化を可能にできることを認識している。実施形態はまた、そのような技法が、従来の時間要件の約２０ｍｓをおそらくは超えるＲＲＣ手順の待ち時間を（たとえば著しく）増大させ得ることを認識している。ランダムアクセスを使用することは、ＷＴＲＵがそのＵｕ（たとえば二次ＭＡＣ）を用いて動作する準備ができていることの表示を、ＳｅＮＢへ提供し得るが、（再）構成の帰結についてＳｅＮＢへの明確な表示が存在しない可能性がある。たとえば、二次ＭＡＣインスタンスについての再構成失敗の場合、ＷＴＲＵは、失敗後にその古い構成に戻っていてもよく、および／または、より古い構成を使用してＳｅＮＢにアクセスするためにランダムアクセス手順を開始してもよい。
【００７５】
ＷＴＲＵは、おそらくは、たとえば、成功した再構成の後、Ｌ１／Ｌ２同期化を実行するために、および／またはＵｕ動作を検証するために、１または複数の技法を実行することができる。実施形態は、構成されたＵｕの一方、他方、および／または両方を介する通信が与えられたＷＴＲＵに使用可能であり得ることを確認するために、ＷＴＲＵが（たとえば、ＭｅＮＢのみ、ＳｅＮＢのみ、および／または両方へ）ネットワーク用の能力を提供することができるか、および／またはできないか（おそらくは、その場合にいつであるか）を決定するための１または複数の技法を企図している。実施形態は、レガシシステムにおいて、ＷＴＲＵがｅＮＢに向けて、その同じｅＮＢに関連付けられたＵｕを介してＲＲＣシグナリングを送ったことを認識している。ＲＲＣメッセージを受信するｅＮＢと関連付けられたＵｕを使用することは、Ｌ２同期化／Ｌ３同期化（たとえば、ＲＲＣ手順の完了）、および／または同じ送信を使用してＵｕが機能し得ることの確認を可能にすることができる。１または複数の実施形態では、これは、デュアルコネクティビティを含む１または複数の場合には使用不可能であり得る。
【００７６】
実施形態は、ＲＲＣメッセージングのための対応するＲＲＣパケットデータユニット（ＰＤＵ）が、Ｌ２によって、ＭｅＮＢのみのＵｕを介して、ＳｅＮＢのみのＵｕを介して、および／またはいずれのＵｕインターフェースも介して移送されるかが、（たとえば、無線リンク監視（ＲＬＭ）／無線リンク失敗（ＲＬＦ）手順に関して）ＭｅＮＢへのＬ３接続性のロバストネスに影響を与える可能性があることを認識している。実施形態は、いくつかのシナリオの中で特に、ユーザプレーンベアラが単一のＵｕインターフェースにマッピングされ得るシナリオにおいて、関連付けられたＵｕの失敗の場合に、ベアラ動作の回復を可能にするＷＴＲＵ挙動を有することが役立つ可能性があることを企図している。
【００７７】
他の手順は、デュアルコネクティビティが存在する際のｅＮＢ間の状態情報の交換および／またはさらなる相互作用を含むことができる。実施形態は、カウンタチェック手順を企図している。ＷＴＲＵは、おそらくは、たとえば、デュアルコネクティビティが存在する際に、（たとえば、複数のＭＡＣインスタンスなどに対処するために）強化されたカウンタチェック手順を実行するように構成され得る。
【００７８】
たとえば、カウンタチェック手順は、１または複数のデータ無線ベアラ（ＤＲＢ）で送信および／または受信されたデータの量をＷＴＲＵが検査するように要求するために、Ｅ−ＵＴＲＡＮによって使用され得る。より具体的には、ＷＴＲＵは、１もしくは複数またはそれぞれのＤＲＢについて、ＣＯＵＮＴの最上位ビットがＥ−ＵＴＲＡＮによって示される値と一致するかをチェックするように要求され得る。手順は、Ｅ−ＵＴＲＡＮが侵入者（たとえば「中間者」）によるパケット挿入を検出することを可能にすることができる。
【００７９】
デュアルコネクティビティのために、カウンタチェック手順は、１もしくは複数またはすべてのＤＲＢ（たとえば、ＭｅＮＢのみに関連付けられたＤＲＢ、ＳｅＮＢのみと関連付けられたＤＲＢ、いずれか／両方と関連付けられたＤＲＢなど）に対する順序付け情報が、ＭｅＮＢにおけるＲＲＣインスタンスによって知られるように、実装され得る。実施形態は、ＳｅＮＢに関連付けられているがＭｅＮＢに関連付けられていないベアラでは、ＭｅＮＢが、そのようなＤＲＢに使用されるＰＤＣＰ状態および／またはＣＯＵＮＴ値を知らないことがあることを認識している。実施形態は、デュアルコネクティビティが存在する際にカウンタチェック手順が修正され得ることを企図している。
【００８０】
デュアルコネクティビティによって影響を受け得る別の手順は、データのシーケンス中の送達を確実にするために使用される手順であり得る。デュアルコネクティビティのために、マルチフローがダウンリンクでサポートされるときに、並べ替え機能性に関係付けられた性能トレードオフがあり得る（たとえば、典型的にはＲＬＣにおいて、しかしモビリティ関係イベントの場合にＰＤＣＰにおいてもあり得る）。たとえば、追加の待ち時間と追加のメモリ要件との間のトレードオフが存在することがある。ＷＴＲＵがそのようなトレードオフを管理するように構成され得る状況が存在することがあり、この趣旨の意思決定の１または複数の技法が企図される。メカニズムは、関係付けられたベアラのサービス品質（ＱｏＳ）に対する効果を考慮に入れることもできる。
【００８１】
実施形態は、制御情報（たとえば、ＰＤＣＰ  Ｓｔａｔｕｓ  Ｒｅｐｏｒｔ、ＲＬＣ  ＳＴＡＴＵＳ  ＰＤＵなどのＬ２制御情報）を運搬するために使用される１または複数の他の手順がデュアルコネクティビティに対処するように修正され得ることを企図している。たとえば、ダウンリンクマルチフローを用いるがおそらくアップリンクマルチフローを用いずに構成されるベアラの場合、（たとえば、おそらくは単一の）アップリンクベアラ、および、２つのｅＮＢのいずれかに配置され得るアップリンク内のおそらくは単一の対応するＬ２（たとえば、ＲＬＣおよび／またはＰＤＣＰ）インスタンスがあり得る。ＷＴＲＵは、たとえば、おそらくは、ＷＴＲＵが、２つのｅＮＢのいずれかまたは両方におけるインスタンスに適用可能なＬ２制御情報を有することができるとともに、２つのｅＮＢの一方に向かうアップリンクパスを有することができる。いくつかの実施形態では、ネットワークは、ある種または任意のＬ２制御情報をＸｎインターフェースを介して第２のｅＮＢ内の対応するインスタンスへ転送することができる。実施形態は、ｅＮＢ間のインターフェースの非理想的性質を考慮すると、これが展開によっては実用的でないことを認識している。実施形態は、ＷＴＲＵが適切なＵｕインターフェースを使用してＬ２制御ＰＤＵを送信できることを確実にすることができる１または複数の技法を企図している。
【００８２】
実施形態は、デュアルコネクティビティによって影響を受け得る別の手順が、おそらくは、ＷＴＲＵが同じＭｅＮＢに接続されたままでありながら、ＳｅＮＢ間のモビリティを実行するために使用される手順であり得ることを認識している。ＬＴＥセキュリティアーキテクチャにおいて、Ｅ−ＵＴＲＡはキー分離を実施することができる。たとえば、ＷＴＲＵは、同じｅＮＢによって導出される複数のＫｅｎｂを使用できない可能性がある。言い換えれば、与えられたｅＮＢは、別のｅＮＢによって提供されたＫｅｎｂから新しいＫｅｎｂを導出できない可能性がある。
【００８３】
ソースｅＮＢは、おそらくは、たとえば、Ｘ２ハンドオーバ中、および／または、おそらくは、たとえば、いかなる使用可能なＮｅｘｔ  Ｈｏｐ（ＮＨ）／ＮＨ  Ｃｈａｉｎｉｎｇ  Ｃｏｕｎｔｅｒ（ＮＣＣ）ペア（たとえば｛ＮＨ，ＮＣＣ｝ペア）も存在し得ない場合、Ｋｅｎｂを導出すること、および／またはそれをターゲットｅＮＢに提供することができる。ターゲットｅＮＢは後で、ＭＭＥから新しい（たとえば新鮮な）｛ＮＨ，ＮＣＣ｝ペアを得るために、Ｓ１  ＰＡＴＨ切り替え要求を使用することができる。ターゲットｅＮＢは、おそらくは、たとえば、ＭＭＥから（たとえば直接）得られたキーイング材料をアクティブ化するために、ｅＮＢ内ＨＯを実行することができ、および／または、それは、その使用されていない｛ＮＨ，ＮＣＣ｝ペアを次のターゲットｅＮＢに提供するために、次のＨＯまで待機することができる。
【００８４】
デュアルコネクティビティを用いて、ＰＤＣＰがｅＮＢの１もしくは複数またはそれぞれに配置され得るアーキテクチャにおいて（たとえば、問題とされるｅＮＢに関連付けられた与えられたベアラについてＳ１−ｕがいずれかのｅＮＢで終端し得るアーキテクチャにおいて）、ＳｅＮＢの１または複数のセルを追加する構成手順が、セキュリティの観点からモデル化され得る。実施形態は、ある種のＲＲＣ再構成手順、たとえば、適用可能なＳｅＮＢを変更し得る再構成の際に、再キーイングを可能にできる１または複数の技術を企図している。
【００８５】
シグナリングは、おそらくは、たとえば、ＷＴＲＵがＬ３（たとえばＲＲＣ）シグナリングを受信できるとき、ＭｅＮＢに関連付けられたサービングセルのリソース上（たとえば、二次ＭＡＣインスタンスおよび／もしくはＳｅＮＢの少なくとも１つのサービングセルのための初期構成、後続の再構成など）、ならびに／またはＳｅＮＢに関連付けられたサービングセルのリソース上（たとえば、二次ＭＡＣインスタンスおよび／もしくはＳｅＮＢの少なくとも１つのサービングセルのための初期構成）で送信され得る。ＷＴＲＵは、おそらくは、たとえば、Ｌ３／ＲＲＣ手順（たとえば、初期構成、再構成など）の成功した完了のとき、適用可能なＬ３／ＲＲＣ手順に応じて応答メッセージ（たとえば、再構成完了メッセージ）を送信することができる。そのようなメッセージは、手順の成功した帰結をＷＴＲＵからネットワークへ示すことができる。
【００８６】
ＭｅＮＢは、たとえば、ＳｅＮＢにおよび／またはＷＴＲＵの構成の二次ＭＡＣインスタンスに関連付けられたサービングセルの１または複数の態様を修正し得る再構成の場合、ＲＲＣ手順の完了を示すＷＴＲＵからのメッセージをそれが受け取るまで、手順が成功したとみなさない場合がある。ＳｅＮＢは、その無線リソース管理（ＲＲＭ）機能性のために手順の帰結を知ろうとすることがある。限定ではなく例示として、進行中のＬ３手順のステータスを示すことは、以下では（たとえば、ＭｅＮＢ、ＳｅＮＢ、およびＷＴＲＵのそれぞれにおけるＬ３関係機能の調整のための）「Ｌ３同期化」と呼ばれることがある。ＳｅＮＢは、（たとえば、Ｘｎの待ち時間を伴うことがある）Ｘｎを介したＭｅＮＢからのシグナリングを受信することによって、ならびに／または（たとえば、Ｘｎ待ち時間を伴わないことがある）ＷＴＲＵからのシグナリングおよび／もしくは送信を直接受信することによって、この情報を決定することができる。
【００８７】
ＳｅＮＢは、どの時刻からＷＴＲＵが新しい構成に従って動作する準備ができているかを決定するように構成され得る。限定ではなく例示として、ＷＴＲＵが与えられた構成を使用して動作する準備ができている時点を決定することは、以下では（たとえば、ＳｅＮＢ内のＭＡＣインスタンスとＷＴＲＵ内のＭＡＣインスタンスとの間のスケジューリング態様の調整のための）「Ｌ１／Ｌ２同期化」と呼ばれることがある。
【００８８】
１または複数の実施形態において、ＭｅＮＢは、ＷＴＲＵに対するシグナリングプロトコル（たとえばＲＲＣ）を終端する制御エンティティ（たとえばＲＲＣインスタンス）をホストすることができる。ＷＴＲＵは、Ｌ３手順を開始できるＬ３制御シグナリングを受信することができる。そのような手順は、ＷＴＲＵ  Ｌ１／Ｌ２接続性および／または同期化の１または複数の態様に影響を与えることができる。
【００８９】
たとえば、制御を伝えるＳＲＢが（たとえば単一の）ｅＮＢで終端されるときに、Ｌ３同期化および／またはＬ１／Ｌ２同期化を実行するための１または複数の手順が説明され得る。たとえば、いくつかのアーキテクチャでは、Ｌ３シグナリング（たとえば、ＷＴＲＵからの応答および／または完了メッセージを含む）は、ＭｅＮＢのＵｕを使用してＬ２で移送され得る（たとえば、一次ＭＡＣインターフェースを介したＳＲＢ）。
【００９０】
たとえば、ＷＴＲＵは、与えられたＭＡＣインスタンスと関連付けられたＵｕの接続性を検証するように決定することができる。ＷＴＲＵは、おそらくは、たとえば、ＲＲＣ  ＰＤＵで受信される表示、ＲＲＣ  ＰＤＵに含まれる構成の構成態様および／もしくはタイプ、ＭｅＮＢから送られるＰＤＣＣＨ上の表示、ＳｅＮＢから送られるＰＤＣＣＨ上の表示、ならびに／またはＭＡＣアクティブ化コマンドで受信される表示（たとえば、および／もしくは他のＬ２制御シグナリング）などのうちの１または複数に基づいて、与えられたＭＡＣインスタンスと関連付けられたＵｕインターフェースの接続性を検証する手順を開始することができる。
【００９１】
たとえば、ＷＴＲＵは、与えられたＭＡＣインスタンスと関連付けられたＵｕインターフェースに対応する構成が検証されるべきことを示すＲＲＣ  ＰＤＵ内の表示を受信することができる。ＷＴＲＵは、ネットワークから受信されたＲＲＣ  ＰＤＵがネットワークとの同期化手順の開始を示すと決定することができる。たとえば、ＲＲＣ  ＰＤＵは、Ｌ３同期化および／またはＬ１／Ｌ２同期化のうちの１または複数が実行されるべきという表示を提供できるフラグを含むことができる。そのようなフラグは、（たとえば、ＰＲＡＣＨもしくはＳＲＳを使用する）既存の構成のための同期化手順に、および／またはＲＲＣ  ＰＤＵ制御シグナリングに含まれる新しい（たとえば新鮮な）構成に適用可能であり得る。
【００９２】
たとえば、ＷＴＲＵは、おそらくは受信された構成の態様に基づいて、Ｌ３同期化および／またはＬ１／Ｌ２同期化のうちの１または複数を実行するように決定することができる。たとえば、ＷＴＲＵは、与えられた構成を含むＲＲＣ  ＰＤＵが同期化手順のための専用にされた構成を含むと決定することができる。ＷＴＲＵは、おそらくは、たとえば、同期化を実行するための専用にされた構成を含むことに基づいて、提供されたリソースを使用してネットワークとの同期化手順を開始するように決定することができる。たとえば、ＲＲＣ  ＰＤＵは、１または複数の専用にされたＰＲＡＣＨパラメータ（たとえば  ｒａｃｈ−ＣｏｎｆｉｇＤｅｄｉｃａｔｅｄ）および／またはＳＲＳ送信のための１または複数の専用にされたパラメータ（たとえばＳｏｕｎｄｉｎｇＲＳ−ＵＬ−ＣｏｎｆｉｇＤｅｄｉｃａｔｅｄＡｐｅｒｉｏｄｉｃ）を含むことができる。加えて、そのような構成は、送信のためのオフセットおよび／もしくは周期的機会などのタイミング情報（たとえば、ならびに／または場合によってはさらに送信の最大数）を含むことができる。専用にされた構成は、同期化を実行するために使用され得る。
【００９３】
たとえば、ＷＴＲＵは、Ｌ３同期化および／またはＬ１／Ｌ２同期化うちの１または複数を、おそらくは、ＭｅＮＢのＰＤＣＣＨ上でそうすべきことの表示を受信することに基づいて、実行するように決定することができる。たとえば、ＷＴＲＵは、ＷＴＲＵがたとえばＳｅＮＢとの同期化手順を実行することを示すダウンリンク制御情報（ＤＣＩ）を有するＭｅＮＢからのＰＤＣＣＨ送信を受信することができる。
【００９４】
たとえば、ＷＴＲＵは、おそらくは、ＲＲＣ手順の完了からそのようなＤＣＩ開始を位置付けるために、ＰＤＣＣＨを復号することができる。そのようなＰＤＣＣＨ復号活動は、時間が限定され得る。時間期間は、構成可能であり得る。たとえば、ＲＲＣ手順の完了は、手順の完了に適用可能であり得る応答（たとえば、ＲＲＣ完了メッセージ）に対応するＲＲＣ  ＰＤＵをＷＴＲＵが組み立てる時点に対応することができる。そのようなイベントは、同期化トリガの位置付けを試みるためにＭｅＮＢのＰＤＣＣＨを監視するための時間ウィンドウのための開始位置として働くことができる。たとえば、ウィンドウの開始は、手順を完了するそのようなＲＲＣ  ＰＤＵの（たとえばＨＡＲＱによる）初期送信に対応することができる。たとえば、ウィンドウの開始は、ＨＡＲＱによる送信が完了したとＷＴＲＵが決定できる（たとえば、ＷＴＲＵがＭｅＮＢから肯定ＡＣＫを受信する）時点に対応することができる。
【００９５】
ＷＴＲＵは、おそらくは、たとえば、同期化手順が実行されるべきことを示すＭｅＮＢのＰＤＣＣＨ上のＤＣＩをＷＴＲＵが成功裏に受信する場合、ランダムアクセス手順を開始するように決定することができる。ＷＴＲＵは、これを、受信されたＤＣＩフォーマットのタイプ（たとえば、ＰＤＣＣＨ命令（order））に基づいて、および／または、問題とされるＭＡＣインスタンスについてのその現在のアップリンク時間整合が有効であるとＷＴＲＵがみなすかどうかに基づいて、決定することができる。ＷＴＲＵは、おそらくは、たとえば、それが有効なアップリンクタイミング整合を有していないとＷＴＲＵが決定することができる場合、それがランダムアクセス手順を使用するべきであると決定することができる。ＷＴＲＵは、おそらくは、たとえば、それが有効なアップリンクタイミング整合を有するとＷＴＲＵが決定する場合、同期化を開始するために、（たとえば非周期）ＳＲＳおよび／またはＰＵＣＣＨ送信（たとえばＤ−ＳＲ）などのような別のタイプの送信を使用するように決定することができる。ＷＴＲＵは、その構成に基づいて、どんな信号を使用するかを決定することができる。
【００９６】
たとえば、ＰＤＣＣＨ上で受信されたＤＣＩは、同期化手順（たとえばランダムアクセス手順）が二次ＭＡＣインスタンスによって実行され得ること（たとえば、ＳｅＮＢとのＵｕ接続性のテスト）を示すことができる。たとえば、同期化手順（たとえばランダムアクセス手順）は、ＳｅＮＢのリソース上で実行され得る（たとえば、ＷＴＲＵが、二次ＭＡＣインスタンスについて手順を開始することができる）。ＷＴＲＵは、おそらくは、たとえば、ＷＴＲＵがランダムアクセス手順を実行する場合にランダムアクセス手順が不成功の場合は、同期化手順が失敗していると決定することができる。ＷＴＲＵは、おそらくは、たとえば、ＷＴＲＵが別のタイプのアップリンク送信（たとえばＤ−ＳＲ）を実行する場合に、たとえば、特定の時間ウィンドウ内および／または最大数の再送信の後にアップリンク送信に対するグラントが受信されない場合（たとえば、Ｄ−ＳＲ手順が不成功である場合）は、同期手順が失敗していると決定することができる。
【００９７】
ＷＴＲＵは、おそらくは、たとえば、手順が失敗した場合、二次ＭＡＣインスタンスのためのＵｕの接続性に問題があると決定することができる。特にそのようなシナリオでは、ＷＴＲＵは、本明細書に説明されているような回復手順を実行することができる。
【００９８】
たとえば、ＷＴＲＵは、Ｌ３同期化および／またはＬ１／Ｌ２同期化うちの１または複数を、おそらくは、ＳｅＮＢのＰＤＣＣＨ上でそうすべきことの表示を受信することに基づいて、実行することができる。たとえば、ＷＴＲＵは、同期化手順の実行を示すＤＣＩを有するＳｅＮＢからのＰＤＣＣＨを受信することができる。たとえば、ＲＲＣ手順の完了は、手順の完了に適用可能な応答（たとえば、ＲＲＣ完了メッセージ）に対応するＲＲＣ  ＰＤＵをＷＴＲＵが組み立てる時点に対応することができる。そのようなイベントは、同期化トリガの位置付けを試みるためにＳｅＮＢのＰＤＣＣＨを監視するための時間ウィンドウのための開始位置として働くことができる。たとえば、ウィンドウの開始は、手順を完了するそのようなＲＲＣ  ＰＤＵの（たとえばＨＡＲＱによる）初期送信に対応することができる。たとえば、ウィンドウの開始は、ＨＡＲＱによる送信が完了したとＷＴＲＵが決定できる（たとえば、ＷＴＲＵがＳｅＮＢから肯定ＡＣＫを受信する）時点に対応することができる。
【００９９】
たとえば、ＷＴＲＵは、同期化手順が、二次ＭＡＣインスタンスのためのＵｕの接続性に影響を与え得るＬ３手順（たとえば再構成など）に後続し得ると想定するように構成され得る。特にそのようなシナリオでは、おそらくは、たとえば、適用可能な時間ウィンドウ中、ＷＴＲＵが、同期化手順のためのパラメータを示すＤＣＩを成功裏に復号していない場合、同期化手順が不成功であると決定することができる。ＷＴＲＵは、二次ＭＡＣインスタンスのためのＵｕの接続性に問題があると決定することができる。特にそのようなシナリオでは、本明細書に説明されているような回復手順を実行することができる。
【０１００】
ＷＴＲＵは、おそらくは、たとえば、同期化手順が実行され得ることを示すＳｅＮＢのＰＤＣＣＨ上のＤＣＩをＷＴＲＵが成功裏に受信する場合、ランダムアクセス手順を開始するように決定することができる。ＷＴＲＵは、これを、受信されたＤＣＩフォーマットのタイプ（たとえば、ＰＤＣＣＨ命令）に基づいて、および／または、問題とされるＭＡＣインスタンスについてのその現在のアップリンク時間整合が有効であるとＷＴＲＵがみなすかどうかに基づいて、決定することができる。ＷＴＲＵは、おそらくは、たとえば、それが有効なアップリンクタイミング整合を有していないとＷＴＲＵが決定する場合、ランダムアクセス手順を使用するように決定することができる。ＷＴＲＵは、おそらくは、たとえば、それが有効なアップリンクタイミング整合を有するとＷＴＲＵが決定する場合、同期化を開始するために、（非周期）ＳＲＳおよび／またはＰＵＣＣＨ送信（たとえばＤ−ＳＲ）などのような別のタイプの送信を使用するように決定することができる。ＷＴＲＵは、その構成に基づいて、どんな信号を使用するかを決定することができる。
【０１０１】
たとえば、ＰＤＣＣＨ上で受信されたＤＣＩは、同期化手順（たとえばランダムアクセス手順）が二次ＭＡＣインスタンスによって実行され得ること（たとえば、ＳｅＮＢとのＵｕ接続性のテスト）を示すことができる。たとえば、同期化手順（たとえばランダムアクセス手順）は、ＳｅＮＢのリソース上で実行され得る（たとえば、ＷＴＲＵが、二次ＭＡＣインスタンスについて手順を開始することができる）。ＷＴＲＵは、おそらくは、たとえば、ＷＴＲＵがランダムアクセス手順を実行する場合にランダムアクセス手順が不成功の場合は、同期化手順が失敗していると決定することができる。ＷＴＲＵは、おそらくは、たとえば、ＷＴＲＵが別のタイプのアップリンク送信（たとえばＤ−ＳＲ）を実行する場合に、たとえば、特定の時間ウィンドウ内および／または最大数の再送信の後にアップリンク送信に対するグラントが受信されない場合（たとえば、Ｄ−ＳＲ手順が不成功である場合）は、同期手順が失敗していると決定することができる。
【０１０２】
図６は、ＷＴＲＵ、ＭｅＮＢ、およびＳｅＮＢの間のデュアルコネクティビティの構成／再構成の例を示す。６００２で、ＭｅＮＢは、ＲＲＣ接続構成／再構成メッセージ（RRC Connection Configuration/Reconfiguration Message）を送ることができる。ＲＲＣ接続構成／再構成メッセージは、ＷＴＲＵのための第２のＭＡＣインスタンスと関連付けられ得るセル（たとえばサービングセル）（および／または、ＷＴＲＵのための更新された第２のＭＡＣインスタンスに関連付けられ得る更新されたセル）についてのモビリティ制御情報を含むことができる。モビリティ制御情報は、ＷＴＲＵのための第２のＭＡＣインスタンスと関連付けられ得るセル（および／または更新されたセル）に対する専用にされたＲＡＣＨ（またはＰＲＡＣＨ）構成を提供することがあり、そうでないこともある。
【０１０３】
６００４で、ＷＴＲＵは、おそらくは、たとえば、モビリティ制御情報（たとえばモビリティ制御情報ＩＥ）に基づいて、第２のＭＡＣインスタンスに対する構成が、初期構成であって、第２のインスタンスのＭＡＣを再設定／構成することができると決定することができる。ＷＴＲＵは、おそらくは、たとえば、モビリティ制御情報（たとえばモビリティ制御情報ＩＥ）に基づいて、第２のＭＡＣインスタンスに対する構成が再構成であると決定することができる。モビリティ制御情報は、第２のＭＡＣインスタンスと関連付けられ得るセルに対するＲＡＣＨ（またはＰＲＡＣＨ）情報を含むことがあり、そうでないこともある。ＲＡＣＨ（またはＰＲＡＣＨ）情報は、第２のＭＡＣインスタンスと関連付けられ得るセルに対する専用にされたＲＡＣＨ（またはＰＲＡＣＨ）構成を含むことができる。
【０１０４】
６００６で、ＷＴＲＵは、おそらくは、たとえば、モビリティ制御情報においてＲＡＣＨ情報が存在するか不在であるかに基づいて、第２のＭＡＣインスタンスと関連付けられ得るセルに対してＲＡＣＨ手順を実行することができる。ＲＡＣＨ手順は、おそらくは、モビリティ情報がＲＡＣＨ情報を含んだ場合（たとえば、第２のＭＡＣインスタンスと関連付けられ得るセルに対して専用にされたＲＡＣＨ（またはＰＲＡＣＨ）構成を含む場合）、コンテンション（contention）無しＲＡＣＨプロセス（ＣＦＲＡ）を含むことができる。ＲＡＣＨ手順は、おそらくは、モビリティ情報がＲＡＣＨ情報を含んでいない場合（たとえば、第２のＭＡＣインスタンスと関連付けられ得るセルに対して専用にされたＲＡＣＨ（またはＰＲＡＣＨ）構成を含まない場合）、コンテンションベースのＲＡＣＨプロセス（ＣＢＲＡ）を含むことができる。ＷＴＲＵは、ＲＡＣＨ手順が完了すると第２のＭＡＣインスタンスを開始および／または更新することができる。
【０１０５】
いくつかの実施形態では、おそらくは第２のＭＡＣインスタンスが再構成されている場合、再構成は、第２のＭＡＣインスタンスの第１のセルとの関連付けを、第２のＭＡＣインスタンスの第２のセルとの関連付けへ、変更／交換／更新することを含むことができる。
【０１０６】
いくつかの実施形態では、おそらくは第２のＭＡＣインスタンスが再構成されている場合、再構成は、第２のＭＡＣインスタンスの、セルの第１のコンポーネントとの関連付けを、第２のＭＡＣインスタンスの、同じセルの第２のコンポーネントとの関連付けへ、変更／交換／更新することを含むことができる。言い換えれば、第２のＭＡＣインスタンスに対するセルを更新することは、第２のＭＡＣインスタンスの同じセルの異なるコンポーネントとの関連付けを更新することを含むことができる。
【０１０７】
ＷＴＲＵは、おそらくは、たとえば、ＷＴＲＵが手順を成功裏に完了していないであろう場合、および／または手順が失敗した場合、二次ＭＡＣインスタンスのためのＵｕの接続性に問題があると決定することができる。たとえば、そのような手順失敗は、ＷＴＲＵが手順を開始できるが手順を成功裏に完了していないであろう事例を含み得る。たとえば、そのような手順失敗は、ＷＴＲＵが手順の実行に不成功であり得る事例を含み得る。これは、おそらくは、たとえば、ダウンリンク同期化の取得の失敗および／またはマスタ情報ブロック（ＭＩＢ）の取得の失敗の結果としての手順の開始の失敗を含むことができる。ダウンリンク同期化の取得の失敗は、一次同期化信号（ＰＳＳ）の取得の失敗、および／または二次同期化信号（ＳＳＳ）の取得の失敗を含むことができる。特にそのようなシナリオでは、それは、本明細書に説明されているような回復手順を実行することができる。
【０１０８】
たとえば、ＷＴＲＵは、Ｌ３同期化および／またはＬ１／Ｌ２同期化うちの１または複数を、ＭＡＣアクティブ化信号および／または他のＬ２制御シグナリングにおいて、そうすべきことの表示を受信することに基づいて、実行するように決定することができる。たとえば、ＷＴＲＵは、（たとえば、本明細書に説明されるような、たとえば、ＲＡＣＨ、Ｄ−ＳＲ、および／またはＳＲＳなどの）同期化手順を示すＭｅＮＢからのＭＡＣ  ＣＥを受信することができる。そのようなＭＡＣ  ＣＥは、二次ＭＡＣインスタンスに対するＷＴＲＵ構成の少なくとも１つのサービングセルをアクティブ化（または再アクティブ化）するＭＡＣアクティブ化／非アクティブ化制御要素であり得る。たとえば、ＷＴＲＵは、おそらくは、それが有効なアップリンクタイミング整合を有するとＷＴＲＵがみなすかどうかと無関係に、同期化手順を実行するように決定することができる。言い換えれば、そのようなＭＡＣ  ＣＥの受信に後続されたＲＲＣ手順の成功した完了の組合せが、二次ＭＡＣインスタンスに対する同期化手順をトリガすることができる。
【０１０９】
たとえば、ＷＴＲＵは、おそらくは、先に完了されたＬ３／ＲＲＣ手順が、二次ＭＡＣインスタンスのためのＵｕの接続性に影響を与える手順であるかどうかに基づいて、説明された同期化手順のうちの１または複数を実行するように構成され得る。ＷＴＲＵは、おそらくは、たとえば、Ｌ３／ＲＲＣ手順が、ＭｅＮＢに対する接続性に影響するが、おそらくはＳｅＮＢに対してはそうでない場合、同期化手順を実行することを差し控えることができる。たとえば、ＷＴＲＵは、物理レイヤおよび／またはＳｅＮＢのＵｕに関連付けられたＭＡＣレイヤのうちの１または複数を修正する受信されたＲＲＣ再構成に基づいて、ＳｅＮＢとの同期化手順を実行することができる。
【０１１０】
たとえば、ＷＴＲＵは、おそらくはＬ３／ＲＲＣ手順に応じて、Ｌ３同期化および／またはＬ１／Ｌ２同期化のうちの１または複数を実行するように決定することができる。たとえば、ＷＴＲＵは、実行されているＬ３手順のタイプ、実行されているＬ３手順の影響、ならびに／または問題とされるＭＡＣインスタンスおよび／またはセルの初期構成などのうちの１または複数に基づいて、Ｌ３同期化手順および／またはＬ１／Ｌ２同期化手順が実行され得ると決定することができる。
【０１１１】
たとえば、ＷＴＲＵは、実行されているＬ３手順のタイプに基づいて、Ｌ３同期化手順および／またはＬ１／Ｌ２同期化手順が実行され得ると決定することができる。ＷＴＲＵは、おそらくは、たとえば、ＲＲＣ手順が再構成手順である場合、二次ＭＡＣインスタンスに対する同期化手順を実行するように決定することができる。たとえば、この決定は、ＲＲＣ再構成メッセージ／コマンドがモビリティ制御情報を含んでいないか含んでいるかを決定することを含むことができる。
【０１１２】
たとえば、ＷＴＲＵは、Ｌ３手順の影響に基づいて、Ｌ３同期化手順および／またはＬ１／Ｌ２同期化手順が実行され得ると決定することができる。ＷＴＲＵは、おそらくは、たとえば、問題とされるＲＲＣ手順が、二次ＭＡＣインスタンスおよび／またはその関連付けられたＰＨＹレイヤの少なくとも１つの態様を再構成する場合、二次ＭＡＣインスタンスに対する同期化手順を実行するように決定することができる。たとえば、二次ＭＡＣインスタンスを介するＷＴＲＵのＵｕ接続性に影響を与える再構成の態様に基づいて、同期化が実行され得る。（たとえば、Ｕｕインターフェースが再構成によって影響を受けない場合に同期化は実行されない可能性がある）。
【０１１３】
たとえば、ＷＴＲＵは、おそらくは、問題とされるＭＡＣインスタンスおよび／またはセルの初期構成に基づいて、Ｌ３同期化手順および／またはＬ１／Ｌ２同期化手順を実行するように決定することができる。ＷＴＲＵは、おそらくは、たとえば、問題とされるＲＲＣ手順が、そのようなＭＡＣインスタンスを初めに構成できる構成手順である場合、二次ＭＡＣインスタンスに対する同期化手順を実行するように決定することができる。そのような初期構成は、先に構成されていなかったＭＡＣインスタンスの構成、および／または問題とされるＭＡＣインスタンスの「特別セル（special cell）」の構成に対応することができる。たとえば、「特別セル」は、それが、問題とされる再構成の前に問題とされるＭＡＣインスタンスの「特別セル」でなかったサービングセルに対応するように構成され得る。「特別セル」は、ＭＡＣインスタンスのためのキャリアアグリゲーションにおけるＰＣｅｌｌに類似し得る１または複数の特性を有することができる。
【０１１４】
たとえば、ＷＴＲＵは、二次ＭＡＣインスタンスに第１のサービングセルを加えるＲＲＣ接続再構成メッセージを受信することができる。特にそのようなシナリオでは、ＷＴＲＵは、二次ＭＡＣインスタンスと関連付けられたＳｅＮＢに対する同期化手順を開始することができる。
【０１１５】
たとえば、アップリンクマルチフローが、たとえば、ＳＲＢと関連付けられたデータ（たとえば、ＲＲＣ  ＰＤＵ）に使用可能であり得る。ＷＴＲＵは、ＭｅＮＢからのＬ３／ＲＲＣシグナリングの受信の後に二次ＭＡＣインスタンスに対する同期化を実行するように決定することができる。ＷＴＲＵは、たとえば、受信されたＬ３／ＲＲＣシグナリングに応答して、ＲＲＣ  ＰＤＵ内にＬ３／ＲＲＣメッセージを準備することができる。そのようなＲＲＣ  ＰＤＵは、適用可能なＳＲＢのための送信に使用可能となり得る。ＷＴＲＵは、おそらくは、たとえば、ＷＴＲＵが、問題とされるＳＲＢに関するアップリンクマルチフローのために構成される場合、おそらくは、Ｌ３／ＲＲＣシグナリングが二次ＭＡＣインスタンスに適用可能であり得るので、ＲＲＣ  ＰＤＵの送信のための二次ＭＡＣインスタンスのリソースを使用するように決定することができる。おそらくは、たとえば、同期化が一方（または両方）のＵｕについて実行され得るかどうかに応じて、ＷＴＲＵは、複数のＵｕがＬ３／ＲＲＣシグナリングの送信に使用可能であるように構成され得る、ならびに／またはＷＴＲＵは、どのようにＲＲＣシグナリングを移送するか（たとえば、どのレイヤ（たとえば、ＭｅＮＢ、ＳｅＮＢ、両方など）および／もしくはＭＡＣインスタンスが使用され得るか）を決定することができる。ＷＴＲＵは、Ｌ３手順の後のＵｕ接続性が確認され得るように、同期化が実行され得たＵｕを使用してそのような送信を実行することができる。ＷＴＲＵは、おそらくは、たとえば、Ｌ３手順の結果として２つ以上のＵｕが同期化を使用できるとＷＴＲＵが決定する場合、Ｌ３応答が一次ＭＡＣインスタンスによって送信され得ると決定することができる。たとえば、第２の応答メッセージおよび／または同期化手順が、二次ＭＡＣインスタンスによって開始されることもできる。
【０１１６】
本明細書に説明されている方法はＬ３／ＲＲＣ接続再構成手順の特定の例を使用しているが、本明細書に説明されている技法は他のＬ３手順に等しく適用可能であり得る。特に、これらの技法は、ＷＴＲＵ構成の異なるＭＡＣインスタンスに関連付けられた態様（ならびに／または、異なるｅＮＢおよび／もしくはＵｕに関連付けられた異なる態様）に適用可能であり得る手順に対して適用可能であり得る。
【０１１７】
同期化手順を実行するために異なるタイプのリソースが使用され得る。たとえば、ＷＴＲＵは、与えられたＭＡＣインスタンスの特定のサービングセルに対して同期化手順を実行するように構成され得る。たとえば、同期化に使用されるサービングセルは、（たとえば、問題とされるｅＮＢに関連付けられたＭＡＣインスタンスについての）ＷＴＲＵ構成の「特別セル」または指定されたセルとすることができる。たとえば、そのようなサービングセルは、特定のアイデンティティ（たとえば、問題とされるｅＮＢに関連付けられたＭＡＣに対して、セルＩＤ／セルインデックス＝０）を有するセルとすることができる。たとえば、そのようなサービングセルは、ＷＴＲＵがアップリンクリソース（たとえば、ＰＵＵＣＨおよび／またはＰＵＳＣＨリソース）を用いて構成されるセルとすることができる。たとえば、そのようなサービングセルは、ＭＡＣインスタンスの「特別セル」とすることができる。
【０１１８】
ＷＴＲＵは、おそらくは、たとえば、ＷＴＲＵが同期化手順を実行するように決定したとき、スケジューリング要求（ＳＲ）の送信を開始することができる。ＷＴＲＵは、おそらくは、たとえば、ＷＴＲＵが、適用可能なサービングセル（たとえば、二次ＭＡＣインスタンスに対する特別セル、または同期化のために使用されるセル）に関連付けられたタイミングアドバンスグループ（timing advance group）のための有効なアップリンクタイミング整合を有する場合、および／またはＷＴＲＵがＤ−ＳＲのための有効なＰＵＣＣＨ構成を有する場合、Ｄ−ＳＲを送信することができる。いくつかの実施形態では、そうでない場合、ＷＴＲＵがＲＡＣＨ  ＳＲ（ＲＡ−ＳＲ）を実行することができる。
【０１１９】
ＷＴＲＵは、おそらくは、たとえば、ＷＴＲＵが同期化手順を実行するように決定したときに、ランダムアクセス手順を開始することができる。ＷＴＲＵは、おそらくは、たとえば、専用にされたパラメータ（たとえば、ｒａｃｈ−ＣｏｎｆｉｇＤｅｄｉｃａｔｅｄ）をシグナリングが含む場合、コンテンション無しランダムアクセスを開始することができる。いくつかの実施形態では、おそらくは、そうでない場合、ＷＴＲＵは、コンテンションベースのランダムアクセスを開始することができる。ＷＴＲＵは、おそらくは、たとえば、それが、問題とされるセルおよび／または適用可能なＭＡＣインスタンスに関連付けられたタイミングアドバンスグループについて有効なアップリンクタイミング整合を有しない場合、ランダムアクセス手順を実行するように構成され得る。ＷＴＲＵは、おそらくは、たとえば、専用にされたＳＲＳ送信のための有効な構成をＷＴＲＵが有しない（たとえば、ＳＲＳが構成されない、無効にされた、および／または適用可能でないなどのいずれかである）場合、ランダムアクセス手順を実行するように構成され得る。
【０１２０】
ＷＴＲＵは、おそらくは、たとえば、ＷＴＲＵが同期化手順を実行するように決定したとき、ＳＲＳの送信を開始することができる。たとえば、ＳＲＳの送信は、トリガ１の受信に基づくことができる（たとえば、非周期的ＳＲＳ）。ＷＴＲＵは、おそらくは、たとえば、シグナリングが専用にされたパラメータ（たとえば、ＳｏｕｎｄｉｎｇＲＳ−ＵＬ−ＣｏｎｆｌｇＤｅｄｉｃａｔｅｄＡｐｅｒｉｏｄｉｃ）を含む場合、非周期的ＳＲＳの送信を開始することができる。
【０１２１】
ＷＴＲＵは、ランダムアクセス手順を使用して、たとえば、ＵＬタイミング同期化および／または電力設定のために、再構成されたＵｕインターフェースのＤＬ／ＵＬをテストすることができる。たとえば、ＷＴＲＵは、ＳｅＮＢに関連付けられたセルの１または複数の態様を修正するＲＲＣ接続再構成メッセージを受信することができる。たとえば、再構成は、ＳｅＮＢのＰＣｅｌｌおよび／または「特別セル」に適用可能な構成を確立および／または修正することができる。ＲＲＣ接続再構成メッセージは、専用にされたＰＲＡＣＨ送信のための構成を含むこともできる。ＷＴＲＵは、おそらくは、たとえば、そのトランシーバ機能性の再構成の後、ランダムアクセス手順（たとえばコンテンション無し）を実行することができる。ＷＴＲＵは、おそらくは、たとえば、いくつかのシナリオの中で特に、ＲＲＣ接続再構成メッセージが専用にされたＰＲＡＣＨ送信に対する構成を含まないシナリオにおいて、場合によってはＳｅＮＢ  Ｕｕの再構成の後の構成可能期間の間に、ランダムアクセス手順をトリガするＤＣＩについてＳｅＮＢのＰＣｅｌｌまたは「特別セル」のＰＤＣＣＨを監視することができる。
【０１２２】
ＷＴＲＵは、非周期的ＳＲＳ送信を使用して、再構成されたＵｕインターフェースのＵＬをテストすることができる。たとえば、ＷＴＲＵは、ＳｅＮＢに関連付けられたセルの１または複数の態様を修正するＲＲＣ接続再構成メッセージを受信することができる。たとえば、再構成は、ＳｅＮＢと関連付けられたＰＣｅｌｌおよび／または「特別セル」に適用可能な構成を確立および／または修正することができる。ＲＲＣ接続再構成メッセージは、専用にされたＳＲＳ送信のための構成を含むことができる。ＷＴＲＵは、おそらくは、たとえば、ＷＴＲＵが、問題とされるセルに関連付けられたタイミングアドバンスグループのための有効なタイミング整合を有する場合、おそらくは、そのトランシーバ機能性の再構成の後、示されたサブフレームでのＳＲＳの送信を開始することができる。ＷＴＲＵは、最大数までのＳＲＳ送信を実行するように構成され得る。たとえば、ＷＴＲＵは、おそらくは、たとえば、ＲＲＣメッセージ内のそのような表示を受信するのではなく、そのトランシーバ機能性の再構成の後の非周期的ＳＲＳ送信をトリガするＤＣＩについてのＰＤＣＣＨを監視することができる。
【０１２３】
ＷＴＲＵは、周期的ＳＲＳ送信を使用して、再構成されたＵｕインターフェースのＵＬをテストすることができる。たとえば、ＷＴＲＵは、ＳｅＮＢに関連付けられたセルの１または複数の態様を修正するＲＲＣ接続再構成メッセージを受信することができる。たとえば、再構成は、ＳｅＮＢと関連付けられたＰＣｅｌｌおよび／または「特別セル」に適用可能な構成を確立および／または修正することができる。ＲＲＣ接続再構成メッセージは、ＷＴＲＵが同期化手順を実行することを示すフラグを含むことができる。ＷＴＲＵは、おそらくは、たとえば、ＷＴＲＵがＳＲＳに対する有効な構成を有する場合、および／または問題とされるセルに関連付けられたタイミングアドバンスグループのための有効なタイミング整合を有する場合、おそらくは、ＵＬ  Ｕｕ接続性をテストするために、ＲＲＣ手順の完了に続いてＳＲＳ送信を開始することができる。
【０１２４】
１または複数の実施形態において、おそらくは、たとえば、ＷＴＲＵが再構成の直後に同期化を実行しない場合、ＷＴＲＵは、たとえば、アップリンクデータ到着の場合のスケジューリング要求および／またはＰＤＣＣＨで受信されたＤＣＩによってトリガされて、そのような同期化手順を実行するように後で決定することができる。１または複数の実施形態では、おそらくは、たとえば、Ｄ−ＳＲを使用する同期化手順が成功していないとＷＴＲＵが決定する場合、それはさらに、ＲＡ−ＳＲ手順を使用して同期化手順を実行しようと試みることができる。
【０１２５】
同期化手順は、ＲＲＣ手順のためのシグナリング交換に関与させられなかったｅＮＢ／ＭＡＣインスタンスに対して、ＲＲＣ再構成手順の成功または失敗を示すことができる。たとえば、ＷＴＲＵは、同期化手順を実行するために、複数のリソース（たとえば、時間、周波数、ＰＲＡＣＨ用のプリアンブルフォーマット、および／もしくはＰＲＡＣＨ用のプリアンブル値など）ならびに／または信号タイプ（たとえば、ＲＳ、Ｄ−ＳＲ、もしくはＰＲＡＣＨ）のうちの１つを選択することができる。たとえば、異なるリソースは、Ｌ３手順についての異なる帰結に対応することができる。ＷＴＲＵは、おそらくは、たとえば、Ｌ３手順が、二次ＭＡＣインスタンスに関連付けられたＵｕを再構成する場合、一次ＭＡＣインスタンスと関連付けられたリソースを使用して応答／完了メッセージを送信することができる。応答は、一次ＭＡＣインスタンスに対して、再構成のステータス（たとえば、完了、失敗など）を示すことができる。ＷＴＲＵは、おそらくは、たとえば、ＷＴＲＵが二次ＭＡＣインスタンスのＵｕの再構成に従うことができる場合、第１の手順（たとえば、たとえば再構成で供給されるような二次ＭＡＣインスタンスに関連付けられたリソースを使用するコンテンション無しプリアンブル）を使用して同期化手順を実行することができる。ＷＴＲＵは、おそらくは、たとえば、ＷＴＲＵが従うことができない場合、第２の手順（たとえば、二次ＭＡＣインスタンスに関連付けられたリソースを使用するコンテンションベースのプリアンブル）を使用して同期化手順を実行することができる。ＷＴＲＵは、おそらくは、たとえば、再構成が不成功であった場合、二次ＭＡＣインスタンスに対する古い構成を使用することができる。同期化中に送信されるメッセージは、再構成に肯定応答することができる完了メッセージ、および／または再構成に否定応答することができる応答メッセージであり得る。
【０１２６】
ＭｅＮＢは、おそらくは、たとえば、再構成シグナリング（たとえばＬ３／ＲＲＣシグナリング）のＬ２移送がＭｅＮＢと関連付けたリソースを使用する（たとえば、ＷＴＲＵが一次ＭＡＣインスタンス上でＲＲＣシグナリングを受信する）場合、おそらくは、たとえば、それがＷＴＲＵから応答メッセージを受信するとき、手順が完了したことを、Ｘｎを介してＳｅＮＢに対して示すことができる。特にそのようなシナリオでは、ＳｅＮＢは、おそらくは、たとえば、同期化手順がトリガされ得るように、そのＵｕを介してＷＴＲＵに向けて明示的制御信号（たとえばＰＤＣＣＨ）を送信することができる。たとえば、ＳｅＮＢは、Ｘｎを介してｅＮＢ間調整からの進行中のＲＲＣ手順を認識することができる。たとえば、ＳｅＮＢは、ＭｅＮＢの一次ＭＡＣインスタンスを介してＷＴＲＵに供給されるＲＲＣ構成の少なくとも一部を提供していることが可能である。ＳｅＮＢにおける二次ＭＡＣインスタンスは、おそらくは、たとえば、再構成情報をＭｅＮＢに提供した後、おそらくは、たとえば、同期化手順がトリガされることができる、および／または同期化手順に対応するＷＴＲＵからの送信の検出を試みることができるように、そのＵｕを介してＷＴＲＵに向けて明示的制御信号（たとえばＰＤＣＣＨ）を送信することができる。
【０１２７】
ＳｅＮＢは、おそらくは、たとえば、再構成シグナリング（たとえば、Ｌ３／ＲＲＣシグナリング）のＬ２移送がＳｅＮＢと関連付けられたリソースを使用する（たとえば、ＷＴＲＵが二次ＭＡＣインスタンス上でＲＲＣシグナリングを受信する）場合、送信されたシグナリング（たとえば、ＲＲＣ  ＰＤＵ）がＷＴＲＵとＳｅＮＢとの間の同期化（たとえば、Ｌ３および／またはＬ１／Ｌ２同期化）をトリガすることができると決定することができる。同期化は、ＷＴＲＵとＳｅＮＢとの間のＵｕインターフェースに適用可能な構成の１または複数の態様を確認することであり得る。たとえば、ＭｅＮＢは、Ｘｎを介してＳｅＮＢに対して、送信されたシグナリング（たとえば、ＲＲＣ  ＰＤＵ）がＷＴＲＵとＳｅＮＢとの間の同期化（たとえば、Ｌ３および／またはＬ１／Ｌ２同期化）をトリガすべきことを示すことができる。ＳｅＮＢは、おそらくは、たとえば、ＳｅＮＢがそのＵｕインターフェースを介してＲＲＣシグナリングを受信することができる場合、おそらくは、たとえば、本明細書に説明されている技法のうちの１または複数に基づいて、ＲＲＣ再構成が成功裏に実行されたかどうかを決定するように構成され得る（たとえば、Ｌ３同期化）。
【０１２８】
ＳｅＮＢは、おそらくは、たとえば、ＲＲＣ再構成メッセージがＳｅＮＢのＵｕインターフェースを介して送信された場合、ハイブリッド自動再送要求（ＨＡＲＱ）ロジック（たとえば、ＨＡＲＱ  ＡＣＫがＷＴＲＵから受信される）を使用して、および／またはＲＬＣ／ＰＤＣＰステータス報告から、送信されたＲＲＣ  ＰＤＵ（ならびに／または、ＰＤＣＰ  ＰＤＵおよび／もしくはＲＬＣ  ＳＤＵのような、それの関連付けられたＬ２  ＳＤＵ）がＷＴＲＵによって成功裏に受信されたと決定することができる。ＳｅＮＢは、おそらくは、たとえば、ネットワークからの初期ＲＲＣメッセージに対応するＳＲＢについてのＳＤＵを含むことができるＷＴＲＵからのＭＡＣ  ＰＤＵの送信を受信することに基づいて、送信されたＲＲＣ  ＰＤＵ（ならびに／または、ＰＤＣＰ  ＰＤＵおよび／もしくはＲＬＣ  ＳＤＵのような、それの関連付けられたＬ２  ＳＤＵ）がＷＴＲＵによって成功裏に受信されたと決定することができる。ＳｅＮＢは、おそらくは、たとえば、ＷＴＲＵからのアップリンク送信の受信に基づいて、送信されたＲＲＣ  ＰＤＵ（ならびに／または、ＰＤＣＰ  ＰＤＵおよび／もしくはＲＬＣ  ＳＤＵのような、それの関連付けられたＬ２  ＳＤＵ）がＷＴＲＵによって成功裏に受信されたと決定することができる。たとえば、アップリンク送信は、Ｕｕインターフェースの接続性が実行されている（たとえば、更新された構成を使用して送信が実行され得る）ことを確認することができる。たとえば、ＳｅＮＢは、Ｌ３／ＲＲＣ手順が開始されていると決定したことに対応する（たとえば後続する）ＷＴＲＵに関して、プリアンブル（および／もしくは完了したランダムアクセス手順）、ＰＵＣＣＨ上のＳＲ、ＳＲＳ、ならびに／またはＰＵＳＣＨ送信などを受信することができる。そのようなＵＬシグナリングは、ＲＲＣ手順が成功したことを示すことができる。
【０１２９】
ＷＴＲＵは、ＳｅＮＢに関連付けられたリソース上でのＲＲＣ  ＰＤＵの受信から開始され得る、および／またはＳｅＮＢとの動作のための構成に適用可能であり得る、Ｌ３手順のための応答メッセージを送信するように構成され得る。ＳｅＮＢは、ＳＲＢ（たとえばＳＲＢ１）に対応するＬＣＨ、および／または本明細書に説明される同期化手順からなどのＷＴＲＵから受信された追加の信号の受信に関連付けられたトランスポートブロックのＷＴＲＵからの受信から、再構成が成功裏に完了したことを決定することができる。ＳＲＢに関するメッセージの検出は、おそらくは、たとえば、同期化手順が、Ｌ３手順の帰結を示すこと、および／またはＷＴＲＵとのＵｕ接続性を確認することができるとともに、Ｌ３手順が進行中であることを示すことができる。たとえば、ＳＲ手順（たとえば、Ｄ−ＳＲまたはＲＡ−ＳＲのいずれか）および／またはＳＲＳ信号の受信は、同期化手順として働くことができる。
【０１３０】
ＳｅＮＢは、おそらくは、たとえば、ＷＴＲＵが、ＳｅＮＢとの動作のための構成に適用可能なＬ３手順のための応答メッセージを送信するように構成されている場合、および／または、おそらくは、そのような応答が、ＷＴＲＵ構成の一次ＭＡＣインスタンスに関連付けられたリソースを使用して送信されるべき場合、説明された同期化手順の１または複数の手順中のシグナリングの受信から、再構成が成功裏に完了したと決定することができる。同期化信号の受信が、ＷＴＲＵとのＵｕ接続性を確認することができる。ＳｅＮＢは、おそらくは、たとえば、ＷＴＲＵから受信された信号のリソースおよび／またはタイプに基づいて、手順が成功したかどうかを（たとえば暗黙的に）決定することができる。
【０１３１】
任意のタイプのＬ３／ＲＲＣ手順について、ＷＴＲＵは、それが、受信された構成に従うことが可能でないと決定することができる。例としてＲＲＣ構成（たとえば、初期構成、再構成など）を使用して、ＷＴＲＵは、それが、ネットワークから送られた構成メッセージに含まれた構成（たとえば、その少なくとも一部）に従うことができないと決定することができる。ＷＲＴＵは、ＭｅＮＢおよび／またはＳｅＮＢのうちの１または複数に対して、それが構成の１または複数の態様に従うことができないことを示すことができる。
【０１３２】
たとえば、ＷＴＲＵは、おそらくは、たとえば、Ｌ３構成メッセージのコンテンツに基づいて、それが、構成の１または複数の態様に従うことができないことをどのように示すかを決定することができる。たとえば、ＷＴＲＵは、構成メッセージの少なくとも一部が、一次ＭＡＣインスタンスに関連付けられたＰＣｅｌｌの構成に適用可能であるかどうかを決定することができる。ＷＴＲＵは、おそらくは、たとえば、ＷＴＲＵが、一次ＭＡＣインスタンスのＰＣｅｌｌに少なくとも部分的に適用可能な構成に従うことができない場合、ＲＲＣ接続再確立手順を実行するように構成され得る。ＷＴＲＵは、おそらくは、たとえば、受信された構成が、（たとえば、一次ＭＡＣインスタンスのＰＣｅｌｌを含むまたは含まない）一次ＭＡＣインスタンスに関連付けられた任意のサービングセルに少なくとも部分的に適用可能である場合、ＲＲＣ接続再確立手順を実行することができる。ＷＴＲＵは、おそらくは、たとえば、再確立を実行するために、構成メッセージの受信の前に使用された構成を使用し続けることができる。接続再構成手順は、おそらくは、たとえば、ＲＲＣ接続再確立手順を開始したとき、終了されるとみなされ得る。
【０１３３】
ＷＴＲＵは、おそらくは、たとえば、再構成メッセージが二次ＭＡＣインスタンスに適用可能である（たとえば、再構成が二次ＭＡＣインスタンスの「特別セル」またはＰＣｅｌｌに適用可能である）場合、おそらくは、それが二次ＭＡＣインスタンスの再構成に従うことができないことを示すために、代替的手順（たとえば、本明細書に説明されているような通知）を実行することができる。たとえば、ＷＴＲＵは、構成メッセージの受信の前に使用された構成を使用し続けることができ、および／または一次ＭＡＣインスタンスに（たとえば、場合により部分的に）適用可能である構成を適用することができ、および／または二次ＭＡＣインスタンスに関する構成メッセージの受信の前に使用された構成を使用し続けることができる。
【０１３４】
ＷＴＲＵは、おそらくは、たとえば、失敗の性質に基づいて、二次ＭＡＣインスタンスに不成功の再構成をどのように通知するかを決定するように構成され得る。たとえば、ＷＴＲＵは、（もしあれば）一次ＭＡＣインスタンスに適用可能な、および／または（もしあれば）二次ＭＡＣインスタンスに適用可能な手順のそれぞれの帰結に応じて、構成手順をどのように完了するかを決定することができる。
【０１３５】
ＷＴＲＵは、おそらくは、たとえば、一次ＭＡＣインスタンスの再構成が失敗した場合、ＲＲＣ接続再確立手順を実行するように構成され得る。ＲＲＣ接続再確立は、おそらくは、たとえば、一次ＭＡＣインスタンスの再構成の失敗があると、二次ＭＡＣインスタンスの再構成の帰結に関係なくトリガされ得る。たとえば、ＷＴＲＵは、構成メッセージの受信の前に使用された構成を使用し続けることができ、および／または接続再確立手順を開始することができ、すると、接続再構成手順を終了することができる。
【０１３６】
ＷＴＲＵは、おそらくは、たとえば、二次ＭＡＣインスタンスの再構成が失敗した、ならびに／または一次ＭＡＣインスタンスが変更されなかったおよび／もしくは成功裏に再構成された場合、問題とされる二次ＭＡＣインスタンスについての構成メッセージの受信の前に使用された構成を使用し続けるように構成されることができ、および／または（たとえば適用可能な場合）一次ＭＡＣインスタンスに対する構成を適用することができる。本明細書に説明されている通知手順の１または複数は、二次ＭＡＣインスタンスの再構成が不成功であったことをネットワークに対して示すために使用され得る。
【０１３７】
ＷＴＲＵは、おそらくは、たとえば、ＷＴＲＵが構成／再構成手順の態様に従うことができない場合、ＲＲＣ接続再確立手順を実行することができる。ＷＴＲＵは、再確立の理由を示すことができる。ＷＴＲＵは、次のように、ＲＲＣＣｏｎｎｅｃｔｉｏｎＲｅｅｓｔａｂｌｉｓｈｍｅｎｔＲｅｑｕｅｓｔ（ＲＣＣ接続再確立要求）におけるｒｅｅｓｔａｂｌｉｓｈｍｅｎｔＣａｕｓｅ（再確立理由）フィールドを設定することができる。すなわち、ＷＴＲＵは、おそらくは、たとえば、ＷＴＲＵが一次ＭＡＣインスタンスに対する再構成に従うことができないことに基づいて、再構成失敗に起因して再確立手順が開始された場合、ｒｅｅｓｔａｂｌｉｓｈｍｅｎｔＣａｕｓｅを値ｒｅｃｏｎｆｌｇｕｒａｔｉｏｎＦａｉｌｕｒｅ（再構成失敗）に設定することができる。ＷＴＲＵは、おそらくは、たとえば、ＷＴＲＵが二次ＭＡＣインスタンスに対する再構成に従うことができないことに基づいて、再構成失敗に起因して再確立手順が開始された場合、ｒｅｅｓｔａｂｌｉｓｈｍｅｎｔＣａｕｓｅを値ｒｅｃｏｎｆｌｇｕｒａｔｉｏｎＦａｉｉｕｒｅＳｅｃｏｎｄａｒｙＭＡＣ−ｉｎｓｔａｎｃｅ（再構成失敗二次ＭＡＣインスタンス）に設定することができる。
【０１３８】
たとえば、ＷＴＲＵは、二次ＭＡＣインスタンスに少なくとも部分的に適用可能なＬ３／ＲＲＣ手順に、それが従うことができない、および／またはそれがそのような手順を成功裏に完了できないと決定することができる。ＷＴＲＵは、ネットワークに帰結を通知することができる。
【０１３９】
再構成手順の例を使用して、ＷＴＲＵは、おそらくは、たとえば、ＷＴＲＵが再構成の少なくとも部分に従うことができず、それが従うことができない部分は、二次ＭＡＣインスタンスに適用可能であるが、おそらくは一次ＭＡＣインスタンスに適用可能でない場合、おそらくは、二次ＭＡＣインスタンスの再構成が不成功であったことをネットワークに通知するために、１または複数の通知メッセージを使用することができる。
【０１４０】
たとえば、ＷＴＲＵは、ＲＲＣメッセージとして構成失敗の通知を送信することができる。たとえば、ネットワークに失敗を通知するＲＲＣメッセージは、ＲＲＣ再構成手順の一部としての応答メッセージ（たとえば、ＷＴＲＵが二次ＭＡＣに対する構成の少なくとも一部に従うことができなかった（または失敗した）という表示を有するＲＲＣ接続再構成失敗（RRC Connection Reconfiguration Failure）またはＲＲＣ接続再構成完了（RRC Connection Reconfiguration Complete））とすることができる。ＷＴＲＵは、おそらくは、たとえば、一次ＭＡＣインスタンスを含む再構成の一部が成功裏に実行された場合、ＲＲＣ再構成手順の完了の一部としてＲＲＣ再構成完了メッセージを送信することができる。ＲＲＣ再構成完了メッセージは、ＷＴＲＵが一次ＭＡＣインスタンスの（たとえば実質的に）すべての態様に対する構成に従うことができることに基づいて、ＷＴＲＵによって送信され得る。
【０１４１】
いくつかの実施形態では、ＷＴＲＵは、それが一次ＭＡＣインスタンスの再構成に従うことができた（たとえば、ＷＴＲＵが従うことができた、もしくは、どの再構成態様も一次ＭＡＣインスタンスに適用可能でなかった）と決定することができる、および／または、ＷＴＲＵは、それが、二次ＭＡＣインスタンスに対する再構成の少なくとも一部に従うことができなかったと決定することができる。特にそのようなシナリオでは、ＷＴＲＵは、一次ＭＡＣインスタンスに送られた完了／応答メッセージ、ならびに／または問題とされる手順に適用可能な完了メッセージとしてのＲＲＣ  ＰＤＵおよび／もしくは送信において、二次ＭＡＣインスタンスに適用可能な再構成の一部が不成功であったという通知を含むことができる。たとえば、ＷＴＲＵは、ＷＴＲＵが二次ＭＡＣの少なくとも一部に対する構成に従うことができなかった（またはそれに失敗した）という表示と共に、ＲＲＣ接続再構成失敗および／またはＲＲＣ接続再構成完了を使用することができる。
【０１４２】
ＷＴＲＵは、おそらくは、たとえば、二次ＭＡＣインスタンスの不成功の再構成があると、ベアラ再確立要求手順を開始することができる。
【０１４３】
ＷＴＲＵは、おそらくは、たとえば、成功した二次ＭＡＣインスタンス再構成の後に同期化を実行するため、および／または不成功の二次ＭＡＣインスタンス再構成の後に通知を提供するために、二次ＭＡＣインスタンスに関連付けられたリソースを使用する専用にされたＰＵＣＣＨリソースを使用してＳＲ手順を実行することができる。ＷＴＲＵは、おそらくは、たとえば、ＷＴＲＵがＤ−ＳＲ送信の最大数に達した場合、二次ＭＡＣインスタンスと関連付けられたサービングセルのためのＰＵＣＣＨ／ＳＲＳを解放し、二次ＭＡＣインスタンスに対する任意の構成されたダウンリンク割り当ておよびアップリンクグラントをクリアし、ならびに／または、二次ＭＡＣインスタンスに関連付けられたリソースを使用して（たとえば、特別セルを使用して）ランダムアクセス手順を開始し、および／もしくは二次ＭＡＣインスタンスに関連付けられた保留ＳＲをキャンセルするように、ＲＲＣに対して示すことができる。
【０１４４】
ＷＴＲＵは、おそらくは、たとえば、ＷＴＲＵが、二次ＭＡＣインスタンスに関連付けられたリソースを使用してランダムアクセス手順を成功裏に完了することに失敗した場合、それが、二次ＭＡＣインスタンスについてＵＬ  ＲＬＦを経験しているが、おそらくは一次ＭＡＣインスタンスについてそうでないことを決定することができる。ＷＴＲＵにおける二次ＭＡＣインスタンスは、そのような失敗をＲＲＣレイヤに報告することができる。特にそのようなシナリオでは、ＷＴＲＵは、たとえば、一次ＭＡＣインスタンスに関連付けられたリソースを使用して、ネットワークに失敗を通知することができる。
【０１４５】
ＷＴＲＵは、おそらくは、たとえば、Ｌ３／ＲＲＣ手順の間／後の同期化のために、Ｄ−ＳＲ、ＳＲおよび／またはランダムアクセス手順のうちの１または複数を実行することができる。ＷＴＲＵは、たとえば、Ｌ３手順と関連付けられた完了メッセージの送信を開始する前に、そのような同期化手順を実行することができる。Ｌ３手順の帰結は、同期化手順の帰結によって影響され得る。たとえば、これは、ＲＲＣシグナリングのＬ２移送が、一次ＭＡＣインスタンスに関連付けられたリソースを使用することができる場合、当てはまることがある。ＷＴＲＵは、おそらくは、たとえば、同期化手順が成功した場合、Ｌ３／ＲＲＣ手順が成功したと決定することができる。ＷＴＲＵは、おそらくは、たとえば、二次ＭＡＣインスタンスとの同期化の完了の後、完了メッセージの送信を開始することができる。ＷＴＲＵは、おそらくは、たとえば、同期化手順が成功していない場合、おそらくは、適用可能な手順の否定的帰結の表示と共に、完了（または失敗）メッセージの送信を開始することができる。
【０１４６】
ネットワーク（たとえばＳｅＮＢ）は、おそらくは、たとえば、チャネル品質インジケータ（ＣＱＩ）報告（たとえば、構成および／または要求された場合）、ＨＡＲＱフィードバックの受信、および／またはＤＬ送信に使用される再送信の数などのうちの１または複数に基づいて、ＷＴＲＵについて無線リンク問題があるかどうかを決定するように構成され得る。ネットワーク（たとえばＳｅＮＢ）は、おそらくは、たとえば、ＳＲＳ送信（たとえば、構成および／または要求された場合）、ＰＵＳＣＨ受信、ならびにランダムアクセスを実行するためのＰＤＣＣＨ命令に続くＷＴＲＵからのプリアンブルの検出の不在などのうちの１または複数に基づいて、ＷＴＲＵについて無線リンク問題があるかどうかを決定するように構成され得る。実施形態は、そのようなネットワークベースのＲＬＭが追加の遅延をもたらすことがあり、その遅延中、ＷＴＲＵが二次ＭＡＣインスタンスを介して送信を実行および／または受信できないことがあることを認識している。
【０１４７】
ＷＴＲＵは、おそらくは、たとえば、ＷＴＲＵが、その一次ＭＡＣインスタンスおよび／または二次ＭＡＣインスタンスの任意のものを使用して、Ｌ３シグナリング（たとえば、ＲＲＣ  ＰＤＵなどのＳＲＢデータ）を受信するのを可能にされている場合、その二次ＭＡＣインスタンスの少なくとも１つのセル（たとえば、「特別セル」またはＰＣｅｌｌ）についての無線リンク監視を実行することができる。ＷＴＲＵは、おそらくは、たとえば、ＷＴＲＵが、その一次ＭＡＣインスタンスを使用するがおそらくはその二次ＭＡＣインスタンスを使用せずに、Ｌ３シグナリング（たとえば、ＲＲＣ  ＰＤＵなどのＳＲＢデータ）を受信するのを可能にされている場合、二次ＭＡＣインスタンスのセルについての無線リンク監視を実行できないことがある（たとえば、ＲＬＦに関して二次ＭＡＣインスタンスを評価することができない）。これは、ＷＴＲＵ二次ＭＡＣインスタンスの構成態様であり得る。ＷＴＲＵは、ＳＲＢデータが二次ＭＡＣインスタンス上で送信されない場合、おそらくは、たとえば、ＷＴＲＵが、その二次ＭＡＣインスタンス上でＬ３シグナリング（たとえば、ＲＲＣ  ＰＤＵなどのＳＲＢデータ）を送信するのを可能にされ、および／または、二次ＭＡＣインスタンスについてのＵＬ  ＲＬＦを評価することを差し控えるように構成され得る場合、二次ＭＡＣインスタンスについてＵＬ  ＲＬＦを決定することができる。
【０１４８】
ＷＴＲＵは、おそらくは、たとえば、ＷＴＲＵが、その二次ＭＡＣインスタンスに関連付けられたリソースを使用してユーザプレーンデータ（user plane data）（ＤＲＢデータ）を送信するのを可能にされ、および／または、データの少なくとも一部が、二次ＭＡＣインスタンスを使用するが一次ＭＡＣインスタンスを使用せずに送信されるように構成される場合、その二次ＭＡＣインスタンスの少なくとも１つのセル（たとえば、特別セルまたはＰＣｅｌｌ）について無線リンク監視を実行することができる。これは、ＷＴＲＵ二次ＭＡＣインスタンスの構成態様であり得る。ＷＴＲＵは、おそらくは、たとえば、ＷＴＲＵが、その二次ＭＡＣインスタンス上でＬ３シグナリング（たとえば、ＲＲＣ  ＰＤＵなどのＳＲＢデータ）を送信するのを可能にされる場合、二次ＭＡＣインスタンスについてＵＬ  ＲＬＦを決定することができ、および／または、おそらくは、たとえば、ＳＲＢデータが二次ＭＡＣインスタンス上で送信されない場合、二次ＭＡＣインスタンスについてのＵＬ  ＲＬＦを評価することを差し控えるように構成され得る。ＷＴＲＵは、おそらくは、たとえば、ＷＴＲＵが、二次ＭＡＣインスタンスの少なくとも１つのセルについて無線リンク監視を実行する場合、結果としてＤＬ  ＲＬＦを決定することができる。ＷＴＲＵは、おそらくは、たとえば、ＷＴＲＵが、二次ＭＡＣインスタンスについてＤＬ  ＲＬＦおよび／またはＵＬ  ＲＬＦを決定する場合、本明細書に説明されている技法のうちの１または複数に従ってネットワークに通知することができる。
【０１４９】
１または複数の実施形態において、二次ＭＡＣインスタンスに関連付けられた少なくとも１つのＥＰＳベアラが、一次ＭＡＣインスタンスに再関連付けされ得る。そのような手順は、おそらくは、たとえば、問題とされるＥＰＳベアラのデータが一次ＭＡＣインスタンスのリソースおよび／または二次ＭＡＣインスタンスのリソースを使用して送信され得る場合、適用可能であり得る（たとえば、マルチフローがベアラに適用可能であるが、ネットワークが、手順中に一次ＭＡＣインスタンスなどの与えられたＭＡＣインスタンスにそのようなベアラを再関連付けする）。二次ＭＡＣインスタンスに関連付けられたリソースを使用するがおそらくは一次ＭＡＣインスタンスに関連付けられたリソースを使用せずに送信のために現在構成されている１または複数のＥＰＳベアラは、おそらくは、たとえば、再構成が二次ＭＡＣインスタンスについて失敗した場合、一次ＭＡＣインスタンスに再関連付けされ得る。
【０１５０】
たとえば、その最中にベアラ再関連付けが行われる手順は、ベアラ再関連付け機能性をサポートするように修正され得る「ＲＲＣ接続再構成」手順を含むことができる。そのような手順は、おそらくは、たとえば、ＷＴＲＵが二次ＭＡＣインスタンスのセルのカバレッジから出るように移動していることを決定する結果として、ネットワークによって開始され得る。ネットワークは、「ＲＲＣＣｏｎｎｅｃｔｉｏｎＲｅｃｏｎｆｉｇｕｒａｔｉｏｎ（ＲＲＣ接続再構成）」などのＲＲＣメッセージを送ることによって手順を開始することができる。そのような手順は、おそらくは、たとえば、二次ＭＡＣインスタンスにおける無線リンク問題および／または失敗の検出の結果として、ＷＴＲＵによって開始されていることがある「ＤＲＢ再確立要求（DRB re-establishment request）」などの新しく定義された（たとえば、これまで定義されていない）手順を含むことができる。そのような手順の一部として、ネットワークは、ベアラの再関連付けのための情報を含むＲＲＣメッセージを一次ＭＡＣインスタンスに送ることができる。
【０１５１】
ＷＴＲＵは、おそらくは、たとえば、与えられたベアラのための再関連付け情報を含むＲＲＣメッセージの受信があると、二次ＭＡＣインスタンスから一次ＭＡＣインスタンスへ１または複数のＥＰＳベアラを再関連付けすることができる。ＷＴＲＵは、おそらくは、たとえば、ＲＲＣメッセージのコンテンツおよび／またはその既存の構成に基づいて、ＥＰＳベアラが再関連付けされるべきと決定することができる。ＷＴＲＵは、おそらくは、たとえば、ＥＰＳベアラアイデンティティ（「ｅｐｓ−Ｂｅａｒｅｒｌｄｅｎｔｉｔｙ」）が情報要素（ＩＥ）に含まれていることに基づいて、ＥＰＳベアラが再関連付けされるべきと決定することができる。たとえば、ＩＥは、一次ＭＡＣインスタンスに対する構成を定義するＩＥの一部であり得る「ＤＲＢ−ＴｏＡｄｄＭｏｄ」および／または「ＤＲＢ−ＴｏＴｒａｎｓｆｅｒ」であり得る、および／または、ＥＰＳベアラアイデンティティは、二次ＭＡＣインスタンス内のＷＴＲＵの既存の無線ベアラ構成の一部であり得る。
【０１５２】
ＷＴＲＵは、おそらくは、たとえば、ＥＰＳベアラが再関連付けされるべきとき、対応するＤＲＢに対して下記のアクションのうちの少なくとも１つを実行することができる。たとえば、ＷＴＲＵは、このＤＲＢに対する初期構成が、既存の構成におけるＥＰＳベアラに関連付けられたＤＲＢの構成に対応すると決定することができる。ＷＴＲＵは、おそらくは、たとえば、（たとえば「ｓｔａｔｕｓＲｅｐｏｒｔＲｅｑｕｉｒｅｄ」が真に設定される場合の）ＰＤＣＰ構成に従ってそうするように構成される場合、ＰＤＣＰを再確立すること、および／または関連付けられたステータス報告を実行することができる。ＷＴＲＵは、一次ＭＡＣインスタンスと関連付けられたＲＢによって使用される暗号化アルゴリズムおよび／またはキーを適用することができる。ＷＴＲＵは、パラメータ「ｋｅｙＣｈａｎｇｅＩｎｄｉｃａｔｏｒ」および「ｎｅｘｔＨｏｐＣｈａｉｎｉｎｇＣｏｕｎｔ」から導出された暗号化アルゴリズムおよび／またはキーを、おそらくは、たとえば、ベアラを再関連付けするＲＲＣメッセージ内にそのようなパラメータが提供された場合に、適用することができる。
【０１５３】
ＷＴＲＵは、おそらく一次ＭＡＣインスタンスのＰＣｅｌｌに関連付けられたＰＣＩおよびＥ−ＡＲＦＣＮを伴う、一次ＭＡＣインスタンスに使用された記憶されたＫｅＮＢおよび／もしくはＮＣＣ（ｎｅｘｔＨｏｐＣｈａｉｎｉｎｇＣｏｕｎｔ）パラメータ、ならびに／または、おそらく一次ＭＡＣインスタンスもしくは二次ＭＡＣインスタンスのうちの１つのＰＣｅｌｌに関連付けられたＰＣＩおよびＥ−ＡＲＦＣＮを伴う、その１つのインスタンスに使用された記憶されたＫｅＮＢおよびＮＣＣパラメータ、のうちの１または複数に基づき、おそらくは、たとえば、（たとえば、水平または垂直キー導出のために）受信されたパラメータに基づいて、ＷＴＲＵが暗号化アルゴリズムおよび／またはキーを更新する場合、ＫｅＮＢキーを更新することができる。選択されたＭＡＣインスタンスは、ＮＣＣパラメータが最大のものであり得る。
【０１５４】
ＷＴＲＵは、異なるＭＡＣインスタンスに関連付けられるベアラのためにＲＬＣを再確立するように構成され得る。ＷＴＲＵは、異なるＭＡＣインスタンスに関連付けられるベアラのために、ＰＤＣＰエンティティ、ＲＬＣエンティティ、および／またはＤＴＣＨ（専用にされたトラフィック論理チャネル）を、受信された「ｐｄｃｐ−Ｃｏｎｆｉｇ」、「ｒｌｃ−Ｃｏｎｆｉｇ」、および「ｌｏｇｉｃａｌＣｈａｎｎｅｌＣｏｎｆｉｇ」にそれぞれ従って再構成するように構成されることができ、おそらくは、たとえば、これらのうちの１または複数が、再関連付けを確立するＩＥに含まれている場合に、再構成をする。ＷＴＲＵは、おそらくは、たとえば、異なるＭＡＣインスタンスにベアラを再関連付けするＩＥに含まれる場合に、受信された「ｌｏｇｉｃａｌＣｈａｎｎｅｌｌｄｅｎｔｉｔｙ」に従って、論理チャネルアイデンティティを再割り当てするように構成され得る。ＷＴＲＵは、おそらくは、たとえば、異なるＭＡＣインスタンスにベアラを再関連付けするＩＥに含まれる場合に、受信された「ｄｒｂ−Ｉｄｅｎｔｉｔｙ」に従って、ＤＲＢアイデンティティを再割り当てするように構成され得る。
【０１５５】
たとえば、ＷＴＲＵは、それが二次ＭＡＣインスタンスへの接続性を失ったことをネットワークに通知するため、および／または二次ＭＡＣインスタンスに関連付けられたベアラが一次ＭＡＣインスタンスに再関連付けされるように要求するために、手順を開始するように構成され得る。限定ではなく例示として、そのような手順は、「ＤＲＢ再確立要求」と呼ばれることがある。
【０１５６】
ＷＴＲＵは、おそらくは、たとえば、二次ＭＡＣインスタンスおける無線リンク失敗の検出に基づいて、ＤＲＢ再確立要求手順を開始することができる。ＷＴＲＵは、様々な方法を使用して、二次ＭＡＣインスタンスにおけるＲＬＦを検出することができる。ＷＴＲＵは、おそらくは、たとえば、再構成（たとえば、同期化された再構成手順）を開始すると、および／または二次ＭＡＣインスタンスにおける物理レイヤ問題を検出すると、タイマを開始することができる。ＷＴＲＵは，おそらくは、たとえば、タイマが満了したときに、無線リンク失敗が二次ＭＡＣインスタンスで発生していると決定することができる。物理レイヤ問題の検出は、おそらくは、たとえば、二次ＭＡＣインスタンスの特定のセル（たとえば、Ｐｃｅｌｌまたは特別セル）について構成された数の同期外れ表示の受信があると、発生し得る。
【０１５７】
ＷＴＲＵは、おそらくは、たとえば、二次ＭＡＣインスタンスからのランダムアクセス問題の検出に基づいて、二次ＭＡＣインスタンスについて無線リンク失敗が発生していると決定するように構成され得る。ＷＴＲＵは、おそらくは、たとえば、与えられた数のランダムアクセス試行において、および／または予め決定された期間にわたって、ランダムアクセス試行が不成功である場合、二次ＭＡＣインスタンスについての無線リンク失敗を宣言することができる。ＷＴＲＵは、おそらくは、タイマＴ３００、Ｔ３０１、Ｔ３０４および／またはＴ３１１が動作していない間に、おそらくは、たとえば、二次ＭＡＣインスタンスのセルにおけるランダムアクセス問題を検出することに基づいて、二次ＭＡＣインスタンスについての無線リンク失敗を宣言することができる。
【０１５８】
ＷＴＲＵは、おそらくは、たとえば、二次ＭＡＣインスタンスと関連付けられた１または複数の論理チャネルについて最大数の再送信が達せられているというＲＬＣからの表示に基づいて、二次ＭＡＣインスタンスについて無線リンク失敗が発生していると決定するように構成され得る。
【０１５９】
ＷＴＲＵは、おそらくは、たとえば、二次ＭＡＣインスタンスと関連付けられたＲＬＦを検出すると、「ＤＲＢ再確立要求」メッセージの送信を開始することができる。ＷＴＲＵは、ＤＲＢ再確立要求に１または複数のアイテムの情報を含むことができる。たとえば、ＤＲＢ再確立要求は、二次ＭＡＣインスタンスのための送信と関連付けられたサービスセル／周波数のうちの１または複数についての測定結果を含む測定報告を含むことができる。たとえば、ＤＲＢ再確立要求は、二次ＭＡＣインスタンスについての任意および／またはすべての使用可能な測定結果を含むことができる。たとえば、ＤＲＢ再確立要求は、手順の開始をトリガした条件（たとえば「理由」）の表示を含むことができる。たとえば、ＤＲＢ再確立要求は、ＤＲＢ再確立手順のためのトリガが、物理レイヤ問題、ランダムアクセス問題、論理チャネル上での再送信の最大数に達すること（たとえば、場合によっては、論理チャネルおよび／もしくは関連付けられたＤＲＢおよび／もしくはＥＰＳベアラのアイデンティティ）、ならびに／または、Ｌ３同期化が失敗しているという「通知」をネットワークに送るために説明されたのと同様の理由などのうちの１または複数を含むという表示を含むことができる。
【０１６０】
ＷＴＲＵは、おそらくは、たとえば、一次ＭＡＣインスタンスにフォールバックするために、フォールバック再構成を利用するように構成され得る。たとえば、ＷＴＲＵは、二次ＭＡＣインスタンスにわたる与えられた無線ベアラに関するデータ（たとえば、ユーザデータおよび／または制御シグナリング）を送るように構成され得る。いくつかのプロトコルアーキテクチャでは、ネットワーク側で、この無線ベアラに対応するＲＬＣエンティティがＳｅＮＢで終端されることができ、および／または、この無線ベアラに対応するＰＤＣＰエンティティがＭｅＮＢで終端されることができる。無線ベアラは、データ無線ベアラ（ＤＲＢ）および／またはシグナリング無線ベアラに対応することができる。ＷＴＲＵは、おそらくは、たとえば、二次ＭＡＣインスタンスと関連付けられた無線リンク失敗条件の検出があると、および／または、一部もしくは全部のシグナリング無線ベアラが二次ＭＡＣインスタンスにマッピングされた場合、ネットワークとの接続性を喪失し得る。ＷＴＲＵは、任意の組合せで本明細書に説明されている技法のうちの１または複数を実行して、たとえば、（たとえば、ＲＬＦが二次ＭＡＣインスタンス上で検出された際に）ＷＴＲＵがネットワークとの接続性を喪失するのを防止することができる。
【０１６１】
ＷＴＲＵは、おそらくは、たとえば、二次ＭＡＣインスタンスと関連付けられたＲＬＦを検出すると、二次ＭＡＣインスタンス構成を中断することができる。ＷＴＲＵは、おそらくは、たとえば、中断されながら、ならびに／または、おそらくは、一次ＭＡＣインスタンスおよび／または異なる二次ＭＡＣインスタンスを介して無線問題を是正することを試みながら、ＷＴＲＵ二次ＭＡＣインスタンスを非アクティブ状態に維持することができる。たとえば、ＷＴＲＵは、二次ＭＡＣインスタンス構成を解放することができ、および／または、解放されたＭＡＣインスタンスにマッピングされたＲＬＣインスタンスの任意の未処理のＲＬＣ  ＰＤＵをクリアすることができる。ＷＴＲＵは、二次ＭＡＣインスタンスと共に構成されたベアラのＰＤＣＰを再確立するように構成されることができ、および／または、二次ＭＡＣインスタンスと共に構成されたＰＤＣＰベアラを中断することができる。ＰＤＣＰベアラは、おそらくは、たとえば、それらが、第２の二次（および／または一次）ＭＡＣインスタンスに再マッピングされるのを可能にされない場合、中断され得る。
【０１６２】
ＷＴＲＵは、一次ＭＡＣインスタンスを介する送信のために、ＲＬＦが検出されている二次ＭＡＣインスタンスにマッピングされた１または複数の無線ベアラ（たとえば、１または複数のシグナリング無線ベアラなど）を再構成（たとえば再マッピング）するように構成され得る。ＲＬＦが検出されている二次ＭＡＣインスタンスにマッピングされた１または複数の無線ベアラを再構成することは、限定ではなく例示として、「フォールバック再構成」と呼ばれることがある。二次ＭＡＣインスタンスのフォールバック再構成中に実装されるフォールバック無線ベアラ構成は、１もしくは複数またはそれぞれのベアラに対するより高いレイヤによって、デュアルコネクティビティ動作のためにベアラが初期に構成された時点などで、前もって提供されている（たとえば予め構成されている）ことがある。たとえば、フォールバック構成は、予め定義されたデフォルト構成に対応することができる。フォールバック再構成を適用し得るベアラのセットは、ＲＲＣによって構成され得る。フォールバック再構成に対応するＲＬＣエンティティが、フォールバック再構成の前に既に作成された場合では、ＷＴＲＵは、おそらくは、たとえば、いくつかの理由の中で、フォールバック再構成によるベアラ構成の変化を考慮に入れるために、再構成の時にこれらのＲＬＣエンティティを再確立することができる。
【０１６３】
ＷＴＲＵは、おそらくは、たとえば、二次ＭＡＣインスタンスについてのＲＬＦを検出すると、および／またはフォールバック再構成を適用すると、データ無線ベアラの送信を中断するように構成され得る。ＷＴＲＵは、おそらくは、たとえば、二次ＭＡＣインスタンスについてのＲＬＦを検出すると、二次ＭＡＣインスタンスにマッピングされた１または複数のデータ無線ベアラを中断することができる。ＷＴＲＵは、おそらくは、たとえば、バッファステータス報告および論理チャネル優先順位付けのために、一次ＭＡＣインスタンスにおける送信に使用可能であるような再構成された無線ベアラに関する未処理のＵＬデータを含むことができる。ＷＴＲＵは、おそらくは、たとえば、二次ＭＡＣインスタンスを介するデータ無線ベアラ送信を中断した後、中断されたベアラと関連付けられたＵＬデータは、一次ＭＡＣインスタンス（および／または中断されていない二次ＭＡＣインスタンス）を介する送信に使用可能とみなすことができる。ＷＴＲＵは、おそらくは、たとえば、フォールバック再構成中に、一次ＭＡＣインスタンスに関するバッファステータス報告（ＢＳＲ）の送信をトリガすることができる。ＷＴＲＵは、おそらくは、たとえば、ＢＳＲをトリガすることおよび／またはフォールバック再構成を適用することの結果として、たとえば、一次ＭＡＣインスタンス（および／または中断されていない二次ＭＡＣインスタンス）を介するスケジューリング要求の送信をトリガすることができる。たとえば、ＷＴＲＵは、おそらくは、たとえば、フォールバック再構成が要求および／または実装されていることを示すために、ＤＲＢ再確立要求、無線リンク失敗の報告、および／または測定報告などのＲＲＣ手順を開始することができる。
【０１６４】
本明細書に説明されている例では、ＷＴＲＵは、二次ＭＡＣインスタンスについてＲＬＦがいつ発生したかを決定するための１または複数の異なる手順を使用することができる。たとえば、二次ＭＡＣインスタンスにおける無線リンク失敗を検出するための条件は、ＲＬＦが発生したことを決定するための本明細書に説明されている条件の一部および／または全部に対応し得る。
【０１６５】
たとえば、ＷＴＲＵは、おそらくは、たとえば、フォールバック再構成を実装するとき、動的ベアラ対ＭＡＣインスタンスマッピングを利用することができる。たとえば、ＷＴＲＵは、１または複数の二次ＭＡＣインスタンスおよび／または一次ＭＡＣインスタンスを介して無線ベアラに関するデータ（たとえば、１もしくは複数のＤＲＢを介するユーザデータ、および／または１もしくは複数のＳＲＢを介する制御シグナリング）を送るように構成され得る。いくつかのプロトコルアーキテクチャでは、ＷＴＲＵ側において、ベアラと関連付けられた１もしくは複数またはそれぞれのＭＡＣインスタンスにマッピングされたＲＬＣエンティティがあり得る。ネットワーク側で、ＭｅＮＢおよび／またはＳｅＮＢにおいて、対応するピアＲＬＣエンティティがあり得る。ＷＴＲＵは、おそらくは、たとえば、様々な基準および／またはトリガに基づいて、与えられた無線ベアラのＰＤＣＰ  ＰＤＵを、ＲＬＣエンティティのうちの１つ（たとえば、およびおそらくは、ＭＡＣインスタンスのうちの１または複数）にサブミットすることができる。たとえば、無線ベアラにマッピングされたデータの特定片のための送信にＲＬＣエンティティ／ＭＡＣインスタンスが使用される制限が存在しないことがある。
【０１６６】
ＷＴＲＵは、おそらくは、たとえば、ＲＬＣエンティティ／ＭＡＣインスタンスがＰＤＣＰ  ＰＤＵの送信に使用される制約が存在しない場合、おそらく論理チャネル多重化／優先順位付け手順の一部として、トランスポートブロックにＰＤＣＰ  ＰＤＵの少なくとも一部を含むことができる第１の（たとえば時間での）ＭＡＣインスタンスにマッピングされたＲＬＣエンティティに、ＰＤＣＰ  ＰＤＵをマッピングするように構成され得る。
【０１６７】
たとえば、ＷＴＲＵは、前もって（たとえば、ＰＤＣＰエンティティによるＰＤＣＰ  ＰＤＵのより低いレイヤへの送出の前に）与えられたＰＤＣＰ  ＰＤＵ用に使用するためにＲＬＣエンティティ／ＭＡＣインスタンスを決定することができる。たとえば、与えられたＰＤＣＰ  ＰＤＵ用に使用するための予め決定されたＲＬＣエンティティ／ＭＡＣインスタンスは、ＲＬＣエンティティ／ＭＡＣインスタンスについての推定されたスループット、および／またはＲＬＣエンティティ／ＭＡＣインスタンスと関連付けられたリンク品質に基づいて選択され得る。データと関連付けられたＰＤＣＰ  ＰＤＵは、おそらくは、たとえば、データが特定のＲＬＣエンティティ／ＭＡＣインスタンスにマッピングされた場合、おそらくは、たとえば、バッファステータス報告および／または論理チャネル優先付けのために、決定された／マッピングされたＭＡＣインスタンスの使用可能なＵＬデータとして含まれ得る。
【０１６８】
ＰＤＣＰ  ＰＤＵがサブミットされる先のＲＬＣエンティティ／ＭＡＣインスタンスは、おそらくは、たとえば、与えられた時点において、特定のＲＬＣエンティティ／ＭＡＣインスタンスに制限され得る。たとえば、与えられた時刻で与えられたＰＤＣＰ  ＰＤＵを搬送するためにどの特定のエンティティが使用されるべきかを選択するための１または複数の技法が使用され得る。たとえば、どのＲＬＣエンティティ／ＭＡＣインスタンスを使用するべきかの決定は、（たとえば、ＰＤＣＣＨ、Ｅ−ＰＤＤＣＨなどにおけるＵＬグラントに示される）物理レイヤシグナリング、および／またはより高いレイヤ（たとえばＲＲＣ）シグナリングによって提供され得る。たとえば、ＷＴＲＵは、与えられたベアラに関するＲＬＣエンティティ／ＭＡＣインスタンスを示すＲＲＣメッセージを受信することができる。たとえば、ＷＴＲＵは、ＭＡＣ  ＣＥを送信したＭＡＣインスタンスに対応するＲＬＣエンティティを使用して搬送され得る１または複数のベアラを識別するネットワーク内のＭＡＣインスタンスからのＭＡＣ制御要素を受信することができる。たとえば、ＭＡＣ  ＣＥは、異なるＭＡＣインスタンスに対応するＲＬＣエンティティがベアラを送信するために使用され得ることを示すことができる。
【０１６９】
与えられた時刻でどのＲＬＣエンティティ／ＭＡＣインスタンスを使用するべきかの決定は、ＷＴＲＵにおける観測された条件に基づいて決定され得る。たとえば、与えられたベアラのデータに関して、ＷＴＲＵは、無線リンク失敗条件がそのＭＡＣインスタンスについて検出されない限り、第１のＲＬＣエンティティ／ＭＡＣインスタンスが（たとえば、いつも）使用され得ることを決定できる。第２のＲＬＣエンティティ／ＭＡＣインスタンスは、おそらくは、たとえば、無線リンク失敗条件が検出された場合、使用され得る。第１のＲＬＣエンティティおよび／または第２のＲＬＣエンティティは、より高いレイヤによって、たとえば無線ベアラごとに明示的に構成され得る。
【０１７０】
たとえば、データを移送するために使用され得るＭＡＣインスタンス上でのＲＬＦ検出の場合に、与えられたデータを移送するために、どのＲＬＣエンティティ／ＭＡＣインスタンスを使用するべきかは、ＷＴＲＵにおいて（たとえば暗黙的に）決定され得る。たとえば、第２のＲＬＣエンティティ／ＭＡＣインスタンス（たとえば、データについての通常のＭＡＣインスタンスがＲＦＬを経験する、または別様に使用不可である場合に使用するＭＡＣインスタンス）は、一次ＭＡＣインスタンスに対応することができる。ＷＴＲＵは、おそらくは、たとえば、ＲＬＦを経験するＭＡＣインスタンスが二次ＭＡＣインスタンスである場合、データを通信するために一次ＭＡＣインスタンスを利用するのを既定とすることができる。たとえば、一次ＭＡＣインスタンスは、二次ＭＡＣインスタンス上の失敗に対するフォールバックＭＡＣインスタンスとして使用され得る。
【０１７１】
たとえば、ＷＴＲＵは、ＲＬＣ／ＭＡＣインスタンスが、与えられたベアラに関して変わるとき、様々なアクションを取ることができる。たとえば、ＲＬＣ  ＭＡＣインスタンスは、ＲＬＦが検出されたとき、たとえば、二次ＭＡＣインスタンスについてＲＬＦが検出されると変わることができる。二次ＭＡＣインスタンスに（たとえば通常通り）マッピングされた無線ベアラに関するデータが、おそらくは、たとえば、ＲＬＦが二次ＭＡＣインスタンスについて検出されると、代わりに、異なるＭＡＣインスタンスと関連付けられたＲＬＣエンティティに提供され得る。ＷＴＲＵは、おそらくは、たとえば、１または複数の無線ベアラに関するデータを送信するために使用されるＲＬＣエンティティ／ＭＡＣインスタンスを変えると、論理チャネル優先付けおよび／またはバッファステータス報告のために新しい（たとえば、新鮮な／更新された）ＭＡＣインスタンスでの送信に使用可能であるようなベアラに関する未処理のＵＬデータを含むことができる。ＷＴＲＵは、おそらくは、たとえば、１または複数の無線ベアラに関するデータを送信するために使用されるＲＬＣエンティティ／ＭＡＣインスタンスを変えると、新しい（たとえば再マッピングされた）ＭＡＣインスタンスでのバッファステータス報告の送信をトリガすることができる。ＷＴＲＵは、おそらくは、たとえば、更新されたＢＳＲに基づいて、（たとえば再マッピングされた）ＭＡＣインスタンスに対応するスケジューリング要求を送信するようにトリガされ得る。ＷＴＲＵは、おそらくは、たとえば、１または複数の無線ベアラに関するデータを送信するために使用されるＲＬＣエンティティ／ＭＡＣインスタンスを変えると、再マッピングされたＭＡＣインスタンスおよび／または関連付けられたＲＬＣエンティティをベアラが現在使用していることを示すネットワーク側の新しい（たとえば、新鮮な／更新された）ＭＡＣインスタンスに送られたＭＡＣ  ＰＤＵ内のＭＡＣ制御要素を含むことができる。たとえば、ＲＲＣメッセージは、おそらくは、ＭＡＣ  ＣＥに代えてまたは加えて、ＲＬＣエンティティ／ＭＡＣインスタンスマッピングの変更を示すように送信され得る。
【０１７２】
デュアルコネクティビティのために構成されたＷＴＲＵは、ＣｏｕｎｔｅｒＣｈｅｃｋメッセージを受信することができ、および／または、カウンタチェック（counter check）手順を実行してデュアルコネクティビティを考慮に入れることができる。たとえば、ＷＴＲＵは、ＭＡＣインスタンス固有および／またはｅＮＢ固有のカウンタチェック手順を実装することができる。ＷＴＲＵは、おそらくは、たとえば、ＣｏｕｎｔｅｒＣｈｅｃｋメッセージを受信すると、手順が全部のＤＲＢに適用可能であるか一部のＤＲＢに適用可能であるかを決定することができる。ＷＴＲＵは、手順が、特定のＭＡＣインスタンスのＤＲＢ（および／または特定のｅＮＢに関連付けられたＤＲＢ）に適用可能であるかを決定することができる。
【０１７３】
ＷＴＲＵは、おそらくは、たとえば、ＷＴＲＵがメッセージを受信したＳＲＢアイデンティティに基づいて、カウンタチェック手順が一部のＤＲＢに適用すると決定することができる。ＷＴＲＵは、たとえば、与えられたＭＡＣインスタンス（たとえば二次ＭＡＣインスタンス）に適用可能な制御シグナリングに固有のＳＲＢ（たとえば、ＳＲＢ  ＩＤ＝３）が存在する場合、問題とされるＭＡＣに対応するＤＲＢを考慮し、および／またはおそらくは他のＭＡＣインスタンスと関連付けられたＤＲＢを考慮しないように決定することができる。ＷＴＲＵは、同様の技法を使用して、カウンタチェック手順がＭＡＣ固有であり得る場合に、どんなＤＲＢアイデンティティ空間をカウンタチェック手順に使用するかを決定することができる。
【０１７４】
たとえば、ＷＴＲＵは、おそらくは、たとえば、カウンタチェック要求メッセージのコンテンツに基づいて、カウンタチェック手順が一部のＤＲＢに適用すると決定することができる。たとえば、カウンタチェック要求メッセージは、（たとえば、ＤＲＢアイデンティティ空間がＭＡＣ固有である場合に）ＭＡＣインスタンスの明示的表示（またはアイデンティティ）を含むことができる。ＷＴＲＵは、おそらくは、たとえば、ＷＴＲＵがカウンタチェック要求メッセージを受信したＵｕインターフェースのアイデンティティに基づいて、カウンタチェック手順が一部のＤＲＢに適用すると決定することができる。たとえば、ＷＴＲＵは、カウンタチェック要求メッセージが受信されたＵｕインターフェースと関連付けられたＭＡＣインスタンスについてカウンタチェック手順を実行するように決定することができる。たとえば、ＷＴＲＵは、カウンタチェック要求メッセージが１もしくは複数または全部のＤＲＢに適用するということを、それらが関連付けられ得るＭＡＣインスタンスと無関係に決定することができる。
【０１７５】
たとえば、ＷＴＲＵは、カウンタチェック要求が、一次ＭＡＣインスタンスと関連付けられたＤＲＢに適用するが、おそらくは二次ＭＡＣインスタンスと関連付けられたＤＲＢに適用しないと想定することができる。たとえば、ＷＴＲＵは、カウンタチェック要求メッセージにおいて、どのＭＡＣインスタンスについてカウンタチェック手順が実行され得るかに関する表示を受信することができ、示されたＭＡＣインスタンスと関連付けられたＤＲＢに対してカウンタチェックを適用することができる。
【０１７６】
ＷＴＲＵは、おそらくは、たとえば、カウンタチェック手順を完了するために、ＭＡＣインスタンス固有および／またはｅＮＢ固有のカウンタチェックシグナリングを利用することができる。ＷＴＲＵは、おそらくは、たとえば、ＣｏｕｎｔｅｒＣｈｅｃｋメッセージを受信すると、おそらくは、たとえば、シグナリングのタイプ（たとえば、シグナリングが、与えられたＭＡＣインスタンスおよび／またはその関連付けられたＤＲＢに固有であるか）に基づいて、手順が、１もしくは複数または全部のＤＲＢまたは一部のＤＲＢに適用可能であるかを決定することができる。たとえば、デュアルコネクティビティカウンタチェック手順は、１もしくは複数または全部のＤＲＢ（たとえば、ＭｅＮＢとＳｅＮＢの両方）についての順序付け情報を決定する送信ｅＮＢ（たとえば、カウンタチェックを発行するｅＮＢ）を含むことができる。そのような情報は、おそらくは、たとえば、送信のためのＲＲＣメッセージ（たとえばカウンタチェック要求）を組み立てるために、送信ｅＮＢ（たとえばＭｅＮＢ）によって収集され得る。ＳｅＮＢに関連付けられたＤＲＢは、おそらくは、たとえば、ＭｅＮＢが関連する順序付けを認識することを確実にするために、カウンタチェック要求を準備する前に中断され得る。たとえば、カウンタチェック手順が、ＭｅＮＢとＳｅＮＢとの間で分割されることができ、および／または、（たとえば単一の）ｅＮＢ／ＭＡＣインスタンスが、両方のノードの代わりに要求を発行することができる。たとえば、ＳｅＮＢは、ＭｅＮＢを介してＷＴＲＵに転送されるべきカウンタチェックメッセージを生成することができる。ＭｅＮＢは、おそらくは、たとえば、一次ＭＡＣインスタンスにおいてＤＲＢを考慮に入れるために、メッセージを補足および／または改変することがあり、そうでないこともある。ＭｅＮＢは、おそらくは、たとえば、ＳｅＮＢによって提供される情報を考慮に入れ、結果を解釈することができ、および／または、評価のためにＷＴＲＵからの応答をＳｅＮＢに提供することができる。
【０１７７】
移動ウィンドウ（および／またはタイマ）は、おそらくは、たとえば、ダウンリンクデータ受信の待ち時間を軽減するために、並べ替え機能のために使用され得る。たとえば、移動ウィンドウおよび／またはタイマは、並べ替え中の失速が回避され得るように実装され得る。そのようなウィンドウ（および／またはタイマ）は、たとえばＲＲＣを介して構成可能であり得る。ＷＴＲＵは、おそらくは、たとえば、ダウンリンクデータ受信のバッファリング要件を軽減するために、ネットワークに対してバッファ占有率に関する情報を報告することができる。たとえば、ＷＴＲＵは、最後に受信されたＰＤＣＰ  ＰＤＵのＳＮ間の距離が、ＷＴＲＵバッファ（またはもしあれば、ＷＴＲＵ  ＰＤＣＰ受信ウィンドウ）における最も古い未処理のＰＤＣＰ  ＰＤＵのＰＤＣＰ  ＳＮよりも、指定された閾値（たとえば、場合によっては構成可能な値および／またはＷＴＲＵ機能に関係付けられた値）だけ大きいときに、ネットワークに表示を提供することができる。たとえば、ＷＴＲＵは、最後に受信されたＰＤＣＰ  ＰＤＵのＳＮ間の距離が、第１の欠損ＰＤＣＰ  ＰＤＵのＳＮよりも、指定された閾値だけ大きいときに、ネットワークに表示を提供することができる。ＷＴＲＵは、おそらくは、たとえば、ＷＴＲＵが、そのバッファ占有率が閾値に達したと決定したとき、表示を生成し、および／またはそれをｅＮＢのうちの１または複数へ送ることができる。表示は、ＰＤＣＰ  Ｓｔａｔｕｓ  ＲｅｐｏｒｔなどのＰＤＣＰ制御ＰＤＵとすることができる。たとえば、表示は、ＭＡＣ  Ｃｏｎｔｒｏｌ  Ｅｌｅｍｅｎｔとして送られ得る。たとえば、そのようなバッファ表示と関連付けられた優先度は、たとえば、そのような制御情報がＢＳＲおよび／またはＳＲをトリガできるように、その関連付けられたＬＣＨ／ＬＣＧより高くすることができる。
【０１７８】
ＷＴＲＵは、特定のＭＡＣインスタンス（および／または特定のｅＮＢ）に関連付けられた論理チャネル（ＬＣＨ）を用いて構成され得る。そのようなＬＣＨは、ＥＰＳベアラと関連付けられ得る。おそらくは、たとえば、ダウンリンクマルチフローの場合、しかし、おそらくはアップリンクマルチフローでない場合、少なくとも１つのＥＰＳベアラが、複数のＬＣＨに関連付けられることができ、たとえば、ＭＡＣインスタンス（および／または特定のｅＮＢ）ごとに１つである。
【０１７９】
ＷＴＲＵは、おそらくは、たとえば、デュアルコネクティビティを用いて動作している間に、Ｌ２制御情報を送信することができる。Ｌ２制御情報の例は、ＲＬＣ  ＳＴＡＴＵＳ  ＰＤＵおよび／またはＰＤＣＰ  ＳＴＡＴＵＳ  ＲＥＰＯＲＴＳを含むことができる。たとえば、ＵＬにおいてＲＬＣ／ＰＤＣＰと関連付けられていないＬＣＨは、おそらくは、たとえば、アップリンクにおいてＬＣＨに関してデータが送信されない場合でも、制御情報の報告のために「特別」または限られた目的のＵＬ  ＬＣＨを利用することができる。たとえば、ＷＴＲＵは、ＭＡＣインスタンス（および／またはｅＮＢ）と関連付けられたＬＣＨのアップリンク方向がユーザデータトラックに対して無効にされるように構成され得る。ＷＴＲＵは、おそらくは、たとえば、Ｌ２制御情報（たとえば、ＲＬＣ  ＳＴＡＴＵＳ  ＰＤＵ、ＰＤＣＰ  ＳＴＡＴＵＳ  ＲＥＰＯＲＴなど）が問題とされるＬＣＨのための送信に使用可能である場合、ＬＣＨを使用することができる。特にそのようなシナリオでは、ＷＴＲＵは、おそらくは、たとえば、アップリンクＬＣＨについて、少なくともユーザプレーンデータについてではなく、対応するＲＬＣインスタンスをインスタンス化することなく、アップリンクにおいてデータを送信することができる。ＷＴＲＵは、おそらくは、たとえば、アップリンクＬＣＨについて、少なくともユーザプレーンデータについてではなく、対応するＰＤＣＰインスタンスをインスタンス化することなく、アップリンクにおいてデータを送信することができる。ＷＴＲＵは、ＬＣＨを、おそらくは、たとえばそのようなＬＣＨに適用可能なモビリティイベントおよび／または再確立イベントの場合には、再設定および／または再確立のためのＤＲＢとみなすことができる。ＷＴＲＵは、バッファステータス報告（ＢＳＲ）（たとえば、ＲＬＣ  ＳＴＡＴＵＳ  ＰＤＵ、ＰＤＣＰ  ＳＴＡＴＵＳ  ＲＥＰＯＲＴなど）のために、ＬＣＨを考慮することができ、および／または、Ｌ２制御情報は、そのようなＬＣＨのための送信に使用可能なデータとみなされ得る。
【０１８０】
たとえば、ＵＬにおいてＲＬＣインスタンスおよび／またはＰＤＣＰインスタンスを有しない論理チャネルが、Ｌ２制御情報の移送のためにＭＡＣ  ＣＥを利用することができる。たとえば、ＷＴＲＵは、ＥＰＳベアラがアップリンクのために関連付けられたＬＣＨを有しないＭＡＣインスタンスに対するＬ２制御情報を搬送するために、ＭＡＣ  ＣＥを使用することができる。ＷＴＲＵは、バッファステータス報告（ＢＳＲ）および／またはスケジューリング要求（ＳＲ）のために、そのようなＭＡＣ  ＣＥを考慮することができる。たとえば、ＲＬＣ  ＳＴＡＴＵＳ  ＰＤＵ、ＰＤＣＰ  ＳＴＡＴＵＳ  ＲＥＰＯＲＴ、および／もしくはＭＡＣ  ＣＥとして搬送されることになる他のＬ２制御情報は、ＳＲトリガのために送信に使用可能なデータとしてみなされることができ、ならびに／または、そのようなＭＡＣ  ＣＥに対するトリガは、それ自体で、問題とされるＭＡＣインスタンスについてＳＲを直接トリガすることができる。
【０１８１】
ＷＴＲＵは、おそらくは、たとえば、ＳｅＮＢに対する構成（たとえばＳｅＮＢモビリティ）を変えるＲＲＣ接続再構成手順の際、１または複数のセキュリティ機能を再キーイングするように構成され得る。たとえば、ＷＴＲＵは、二次ＭＡＣインスタンスおよび／または二次ＭＡＣインスタンスに関連付けられたＵｕの１または複数の態様を再構成する、Ｌ３／ＲＲＣシグナリングを受信することができる。そのようなシグナリングは、ＷＴＲＵ構成における１または複数のベアラを追加、修正、および／または除去することができる。そのようなシグナリングは、二次ＭＡＣインスタンスおよび／またはＵｕが異なるＳｅＮＢに関連付けられるように、ＷＴＲＵを再構成することができる。
【０１８２】
そのようなＳｅＮＢ対ＳｅＮＢモビリティは、再キーイングのためにＭｅＮＢ内モビリティをトリガおよび／または暗示することができる。たとえば、二次ＭＡＣインスタンスおよび／または二次ＭＡＣインスタンスに関連付けられたＵｕの１または複数の態様を再構成するＬ３／ＲＲＣシグナリングは、一次インスタンス（および／またはＭｅＮＢ）に関連付けられたセキュリティコンテキストについて再キーイングが発生し得るように、ｅＮＢ内ハンドオーバをトリガすることができるモビリティ制御情報を含むことができる。
【０１８３】
ＭｅＮＢセキュリティは、新鮮なＫASMEに基づいて再キーイングを行うことができ、および／または、ＳｅＮＢはＮＣＣに基づいて再キーイングを行うことができる。たとえば、ＷＴＲＵは、二次ＭＡＣインスタンス（および／またはＳｅＮＢに関連付けられたベアラ）に対するモビリティをトリガするＲＲＣ接続再構成を受信することができる。そのようなシグナリングは、ｅＮＢ内モビリティイベントのために、一次ＭＡＣインスタンス（および／またはＭｅＮＢに関連付けられたベアラ）に適用可能なｍｏｂｉｌｉｔｙＣｏｎｔｒｏｌＩｎｆｏｒｍａｔｉｏｎ  ＩＥを含むこともできる。たとえば、適用可能なセキュリティキーの再キーイングおよび／または更新のために、一次ＭＡＣインスタンス（および／またはＭｅＮＢに関連付けられたベアラ）に適用可能なシグナリングは、ｓｅｃｕｒｉｔｙＣｏｎｆｉｇＨＯにおいて偽に設定されたｋｅｙＣｈａｎｇｅＩｎｄｉｃａｔｏｒを含むことができる。そのようなシグナリングは、おそらくは、たとえば、以前の成功したＮＡＳ  ＳＭＣ手順によって使用される新鮮なＫASMEに基づいて、一次ＭＡＣインスタンスについてＫeNBキーを更新するように、ＷＴＲＵをトリガすることができる。二次ＭＡＣインスタンス（および／またはＳｅＮＢに関連付けられたベアラ）に適用可能なシグナリングは、ｓｅｃｕｒｉｔｙＣｏｎｆｉｇＨＯにおいて真に設定されたｋｅｙＣｈａｎｇｅＩｎｄｉｃａｔｏｒを含むことができる。シグナリングは、ｓｅｃｕｒｉｔｙＣｏｎｆｉｇＨＯで示されたｎｅｘｔＨｏｐＣｈａｉｎｉｎｇＣｏｕｎｔ値を使用して、おそらくは、たとえば、現在のＫeNBまたはＨＮに基づいて、一次ＭＡＣインスタンスについてＫeNBキーを更新するように、ＷＴＲＵをトリガすることができる。
【０１８４】
たとえば、ＳｅＮＢセキュリティは、新鮮なＫASMEに基づいて再キーイングを行うことができ、ＭｅＮＢはＮＣＣに基づいて再キーイングを行うことができる。たとえば、二次ＭＡＣインスタンスについてのキー導出は、偽に設定されたｋｅｙＣｈａｎｇｅＩｎｄｉｃａｔｏｒに従うことができ、一次ＭＡＣインスタンスについてのキー導出は、真に設定されたｋｅｙＣｈａｎｇｅＩｎｄｉｃａｔｏｒに従うことができる。たとえば、ＷＴＲＵは、二次ＭＡＣインスタンス（および／またはＳｅＮＢに関連付けられたベアラ）に対するモビリティをトリガするＲＲＣ接続再構成を受信することができる。そのようなシグナリングは、ｅＮＢ内モビリティイベントのために、一次ＭＡＣインスタンス（および／またはＭｅＮＢに関連付けられたベアラ）に適用可能なｍｏｂｉｌｉｔｙＣｏｎｔｒｏｌＩｎｆｏｒｍａｔｉｏｎ  ＩＥを含むこともできる。一次ＭＡＣインスタンス（および／またはＭｅＮＢに関連付けられたベアラ）に適用可能なシグナリングは、おそらくは、たとえば、いくつかの理由の中で、適用可能なセキュリティキーの再キーイングおよび／または更新のために、ｓｅｃｕｒｉｔｙＣｏｎｆｉｇＨＯにおいて真に設定されたｋｅｙＣｈａｎｇｅＩｎｄｉｃａｔｏｒを含むことができる。そのようなシグナリングは、おそらくは、ｓｅｃｕｒｉｔｙＣｏｎｆｉｇＨＯで示されたｎｅｘｔＨｏｐＣｈａｉｎｉｎｇＣｏｕｎｔ値を使用して、おそらくは、たとえば、現在のＫeNBおよび／またはＨＮに基づいて、一次ＭＡＣインスタンスについてＫeNBキーを更新するように、ＷＴＲＵをトリガすることができる。二次ＭＡＣインスタンス（および／またはＳｅＮＢに関連付けられたベアラ）に適用可能なシグナリングは、ｓｅｃｕｒｉｔｙＣｏｎｆｉｇＨＯにおいて偽に設定されたｋｅｙＣｈａｎｇｅＩｎｄｉｃａｔｏｒを含むことができる。シグナリングは、おそらくは、たとえば、以前の成功したＮＡＳ  ＳＭＣ手順によって使用される新鮮なＫASMEキーに基づいて、二次ＭＡＣインスタンスについてＫeNBキーを更新するように、ＷＴＲＵをトリガすることができる。
【０１８５】
上記では特徴および要素が特定の組合せで説明されているが、各特徴および要素は、単独でまたは他の特徴および要素との任意の組合せで使用され得ることは、当業者には理解されよう。加えて、本明細書で説明された方法は、コンピュータまたはプロセッサによる実行のために、コンピュータ可読媒体に組み込まれたコンピュータプログラム、ソフトウェア、またはファームウェアに実装され得る。コンピュータ可読媒体の例は、（有線またはワイヤレス接続を介して送信される）電子信号およびコンピュータ可読記憶媒体を含む。コンピュータ可読媒体の例は、読み出し専用メモリ（ＲＯＭ）、ランダムアクセスメモリ（ＲＡＭ）、レジスタ、キャッシュメモリ、半導体メモリデバイス、内部ハードディスクおよび取り外し可能ディスクなどの磁気媒体、光磁気媒体、ならびにＣＤ−ＲＯＭディスクおよびデジタル多用途ディスク（ＤＶＤ）などの光媒体を含むが、それらに限定されない。ソフトウェアに関連付けられたプロセッサが使用されて、ＷＴＲＵ、ＵＥ、端末、基地局、ＲＮＣ、または任意のホストコンピュータで使用するための無線周波数トランシーバを実装することができる。
【図１Ａ】
2020048209.tif 000003
【図１Ｂ】
2020048209.tif 000004
【図１Ｃ】
2020048209.tif 000005
【図１Ｄ】
2020048209.tif 000006
【図１Ｅ】
2020048209.tif 000007
【図２】
2020048209.tif 000008
【図３】
2020048209.tif 000009
【図４】
2020048209.tif 000010
【図５】
2020048209.tif 000011
【図６】
2020048209.tif 000012
【手続補正書】
【提出日】令和2年1月6日(2020.1.6)
【手続補正１】
【補正対象書類名】特許請求の範囲
【補正対象項目名】全文
【補正方法】変更
【補正の内容】
【特許請求の範囲】
【請求項１】
プロセッサを備えたワイヤレス送受信ユニット（ＷＴＲＵ）であって、前記プロセッサは、
第１の無線リンク制御（ＲＬＣ）エンティティについての構成を受信し、前記第１のＲＬＣエンティティは、第１の媒体アクセス制御（ＭＡＣ）インスタンスにマッピングされており、
第２のＲＬＣエンティティについての構成を受信し、前記第２のＲＬＣエンティティは、第２のＭＡＣインスタンスにマッピングされており、
データ無線ベアラ（ＤＲＢ）についての構成を含む無線リソース制御（ＲＲＣ）メッセージを受信し、
ダウンリンクにおいて、前記第１のＭＡＣインスタンスにマッピングされた前記第１のＲＬＣエンティティまたは前記第２のＭＡＰインスタンスにマッピングされた前記第２のＲＬＣエンティティの各々を介して、前記ＤＲＢと関連付けられたパケットデータコンバージェンスプロトコル（ＰＤＣＰ）プロトコルデータユニット（ＰＤＵ）を受信し、
アップリンクにおいて、前記第１のＭＡＣインスタンスにマッピングされた前記第１のＲＬＣエンティティまたは前記第２のＭＡＰインスタンスにマッピングされた前記第２のＲＬＣエンティティのうちの１つを介して、前記ＤＲＢと関連付けられた少なくとも１つのＰＤＣＰ  ＰＤＵを送信し、前記ＲＲＣメッセージに含まれる前記ＤＲＢについての前記構成は、前記ＤＲＢと関連付けられた前記少なくとも１つのＰＤＣＰ  ＰＤＵが、前記第１のＭＡＣインスタンスにマッピングされた前記第１のＲＬＣエンティティまたは前記第２のＭＡＰインスタンスにマッピングされた前記第２のＲＬＣエンティティを介して送信されるべきかどうかを決定するために使用される情報を含む、
ように少なくとも構成されていることを特徴とするＷＴＲＵ。
【請求項２】
前記ＲＲＣメッセージは、前記プロセッサが、前記第１のＭＡＣインスタンスにマッピングされた前記第１のＲＬＣエンティティを介して、前記ＤＲＢと関連付けられた全てのアップリンクＰＤＣＰ  ＰＤＵを送るべきであることを示していることを特徴とする請求項１に記載のＷＴＲＵ。
【請求項３】
前記ＷＴＲＵは、第１の進化型ｎｏｄｅ−Ｂ（ｅＮＢ）および第２のｅＮＢと通信しており、前記第１のｅＮＢは、前記第１のＲＬＣエンティティに対応する前記ＤＲＢについての第３のＲＬＣエンティティを含み、前記第２のｅＮＢは、前記第２のＲＬＣエンティティに対応する前記ＤＲＢについての第４のＲＬＣエンティティを含むことを特徴とする請求項１に記載のＷＴＲＵ。
【請求項４】
前記ＤＲＢと関連付けられた前記少なくとも１つのＰＤＣＰ  ＰＤＵが、前記第１のＭＡＣインスタンスにマッピングされた前記第１のＲＬＣエンティティまたは前記第２のＭＡＰインスタンスにマッピングされた前記第２のＲＬＣエンティティを介して送信されるべきかどうかを決定するために使用される前記情報は、前記第１または第２のＲＬＣエンティティのうちの１つまたは複数についてのスループット情報を含むことを特徴とする請求項１に記載のＷＴＲＵ。
【請求項５】
前記プロセッサは、
前記ＤＲＢと関連付けられた前記少なくとも１つのＰＤＣＰ  ＰＤＵが、前記第１のＭＡＣインスタンスにマッピングされた前記第１のＲＬＣエンティティまたは前記第２のＭＡＰインスタンスにマッピングされた前記第２のＲＬＣエンティティを介して送信されるべきかどうかを決定するために使用される前記情報に基づいて、前記ＤＲＢと関連付けられた前記少なくとも１つのＰＤＣＰ  ＰＤＵが、前記第１のＭＡＣインスタンスにマッピングされた前記第１のＲＬＣエンティティを介して送信されるべきであると決定し、
前記第１のＭＡＣインスタンスにマッピングされた前記第１のＲＬＣエンティティと関連付けられた無線リンク失敗を検出し、
前記第２のＭＡＰインスタンスにマッピングされた前記第２のＲＬＣエンティティを介して、前記ＤＲＢと関連付けられた前記少なくとも１つのＰＤＣＰ  ＰＤＵを送信する、
ようにさらに構成されていることを特徴とする請求項１に記載のＷＴＲＵ。
【請求項６】
前記プロセッサは、前記第１のＭＡＣインスタンスにマッピングされた前記第１のＲＬＣエンティティまたは前記第２のＭＡＰインスタンスにマッピングされた前記第２のＲＬＣエンティティのうちの少なくとも１つに、前記少なくとも１つのＰＤＣＰ  ＰＤＵを向けるよう前記ＰＤＣＰを指示するようにさらに構成されており、前記第１のＭＡＣインスタンスにマッピングされた前記第１のＲＬＣエンティティまたは前記第２のＭＡＰインスタンスにマッピングされた前記第２のＲＬＣエンティティのうちの前記少なくとも１つに、前記少なくとも１つのＰＤＣＰ  ＰＤＵを向けるよう前記ＰＤＣＰを指示することは、前記アップリンクに対し、前記第１のＭＡＣインスタンスにマッピングされた前記第１のＲＬＣエンティティに前記少なくとも１つのＰＤＣＰ  ＰＤＵを制限することを含むことを特徴とする請求項１に記載のＷＴＲＵ。
【請求項７】
前記ＤＲＢと関連付けられた前記少なくとも１つのＰＤＣＰ  ＰＤＵが、前記第１のＭＡＣインスタンスにマッピングされた前記第１のＲＬＣエンティティまたは前記第２のＭＡＰインスタンスにマッピングされた前記第２のＲＬＣエンティティを介して送信されるかどうかの前記決定は、前記ＲＬＣエンティティについての推定されたスループットおよび前記ＲＬＣエンティティと関連付けられたリンク品質のうちの少なくとも１つに基づいていることを特徴とする請求項１に記載のＷＴＲＵ。
【請求項８】
前記プロセッサは、前記第１のＭＡＣインスタンスにマッピングされた前記第１のＲＬＣエンティティに対して無線リンク失敗状態が検出されていないことに基づいて、前記第１のＭＡＣインスタンスにマッピングされた前記第１のＲＬＣエンティティが、前記アップリンクにおいて、前記少なくとも１つのＰＤＣＰ  ＰＤＵを送信することになると決定するようにさらに構成されていることを特徴とする請求項１に記載のＷＴＲＵ。
【請求項９】
前記プロセッサは、前記第１のＭＡＣインスタンスにマッピングされた前記第１のＲＬＣエンティティに対して無線リンク失敗状態が検出されていることに基づいて、前記第２のＭＡＰインスタンスにマッピングされた前記第２のＲＬＣエンティティが、前記アップリンクにおいて、前記少なくとも１つのＰＤＣＰ  ＰＤＵを送信することになると決定するようにさらに構成されていることを特徴とする請求項１に記載のＷＴＲＵ。
【請求項１０】
第１の無線リンク制御（ＲＬＣ）エンティティについての構成を受信するステップであって、前記第１のＲＬＣエンティティは、第１の媒体アクセス制御（ＭＡＣ）インスタンスにマッピングされている、ステップと、
第２のＲＬＣエンティティについての構成を受信するステップであって、前記第２のＲＬＣエンティティは、第２のＭＡＣインスタンスにマッピングされている、ステップと、
データ無線ベアラ（ＤＲＢ）についての構成を含む無線リソース制御（ＲＲＣ）メッセージを受信するステップと、
ダウンリンクにおいて、前記第１のＭＡＣインスタンスにマッピングされた前記第１のＲＬＣエンティティまたは前記第２のＭＡＰインスタンスにマッピングされた前記第２のＲＬＣエンティティの各々を介して、前記ＤＲＢと関連付けられたパケットデータコンバージェンスプロトコル（ＰＤＣＰ）プロトコルデータユニット（ＰＤＵ）を受信するステップと、
アップリンクにおいて、前記第１のＭＡＣインスタンスにマッピングされた前記第１のＲＬＣエンティティまたは前記第２のＭＡＰインスタンスにマッピングされた前記第２のＲＬＣエンティティのうちの１つを介して、前記ＤＲＢと関連付けられた少なくとも１つのＰＤＣＰ  ＰＤＵを送信するステップであって、前記ＲＲＣメッセージに含まれる前記ＤＲＢについての前記構成は、前記ＤＲＢと関連付けられた前記少なくとも１つのＰＤＣＰ  ＰＤＵが、前記第１のＭＡＣインスタンスにマッピングされた前記第１のＲＬＣエンティティまたは前記第２のＭＡＰインスタンスにマッピングされた前記第２のＲＬＣエンティティを介して送信されるべきかどうかを決定するために使用される情報を含む、ステップと、
を備えたことを特徴とする方法。
【請求項１１】
前記ＲＲＣメッセージは、前記プロセッサが、前記第１のＭＡＣインスタンスにマッピングされた前記第１のＲＬＣエンティティを介して、前記ＤＲＢと関連付けられた全てのアップリンクＰＤＣＰ  ＰＤＵが送られるべきであることを示していることを特徴とする請求項１０に記載の方法。
【請求項１２】
ワイヤレス送受信ユニット（ＷＴＲＵ）は、第１の進化型ｎｏｄｅ−Ｂ（ｅＮＢ）および第２のｅＮＢと通信しており、前記第１のｅＮＢは、前記第１のＲＬＣエンティティに対応する前記ＤＲＢについての第３のＲＬＣエンティティを含み、前記第２のｅＮＢは、前記第２のＲＬＣエンティティに対応する前記ＤＲＢについての第４のＲＬＣエンティティを含むことを特徴とする請求項１０に記載の方法。
【請求項１３】
前記ＤＲＢと関連付けられた前記少なくとも１つのＰＤＣＰ  ＰＤＵが、前記第１のＭＡＣインスタンスにマッピングされた前記第１のＲＬＣエンティティまたは前記第２のＭＡＰインスタンスにマッピングされた前記第２のＲＬＣエンティティを介して送信されるべきかどうかを決定するために使用される前記情報は、前記第１または第２のＲＬＣエンティティのうちの１つまたは複数についてのスループット情報を含むことを特徴とする請求項１２に記載の方法。
【請求項１４】
前記ＤＲＢと関連付けられた前記少なくとも１つのＰＤＣＰ  ＰＤＵが、前記第１のＭＡＣインスタンスにマッピングされた前記第１のＲＬＣエンティティまたは前記第２のＭＡＰインスタンスにマッピングされた前記第２のＲＬＣエンティティを介して送信されるべきかどうかを決定するために使用される前記情報に基づいて、前記ＤＲＢと関連付けられた前記少なくとも１つのＰＤＣＰ  ＰＤＵが、前記第１のＭＡＣインスタンスにマッピングされた前記第１のＲＬＣエンティティを介して送信されるべきであると決定するステップと、
前記第１のＭＡＣインスタンスにマッピングされた前記第１のＲＬＣエンティティと関連付けられた無線リンク失敗を検出するステップと、
前記第２のＭＡＰインスタンスにマッピングされた前記第２のＲＬＣエンティティを介して、前記ＤＲＢと関連付けられた前記少なくとも１つのＰＤＣＰ  ＰＤＵを送信するステップと、
をさらに備えたことを特徴とする請求項１０に記載の方法。
【請求項１５】
前記第１のＭＡＣインスタンスにマッピングされた前記第１のＲＬＣエンティティまたは前記第２のＭＡＰインスタンスにマッピングされた前記第２のＲＬＣエンティティのうちの少なくとも１つに、前記少なくとも１つのＰＤＣＰ  ＰＤＵを向けるよう前記ＰＤＣＰを指示するステップをさらに備えており、前記第１のＭＡＣインスタンスにマッピングされた前記第１のＲＬＣエンティティまたは前記第２のＭＡＰインスタンスにマッピングされた前記第２のＲＬＣエンティティのうちの前記少なくとも１つに、前記少なくとも１つのＰＤＣＰ  ＰＤＵを向けるよう前記ＰＤＣＰを指示することは、前記アップリンクに対し、前記第１のＭＡＣインスタンスにマッピングされた前記第１のＲＬＣエンティティに前記少なくとも１つのＰＤＣＰ  ＰＤＵを制限することを含むことを特徴とする請求項１０に記載の方法。
【請求項１６】
前記ＤＲＢと関連付けられた前記少なくとも１つのＰＤＣＰ  ＰＤＵが、前記第１のＭＡＣインスタンスにマッピングされた前記第１のＲＬＣエンティティまたは前記第２のＭＡＰインスタンスにマッピングされた前記第２のＲＬＣエンティティを介して送信されるかどうかの前記決定は、前記ＲＬＣエンティティについての推定されたスループットおよび前記ＲＬＣエンティティと関連付けられたリンク品質のうちの少なくとも１つに基づいていることを特徴とする請求項１０に記載の方法。
【請求項１７】
前記第１のＭＡＣインスタンスにマッピングされた前記第１のＲＬＣエンティティに対して無線リンク失敗状態が検出されていないことに基づいて、前記第１のＭＡＣインスタンスにマッピングされた前記第１のＲＬＣエンティティが、前記アップリンクにおいて、前記少なくとも１つのＰＤＣＰ  ＰＤＵを送信することになると決定するステップをさらに備えたことを特徴とする請求項１０に記載の方法。
【請求項１８】
前記第１のＭＡＣインスタンスにマッピングされた前記第１のＲＬＣエンティティに対して無線リンク失敗状態が検出されていることに基づいて、前記第２のＭＡＰインスタンスにマッピングされた前記第２のＲＬＣエンティティが、前記アップリンクにおいて、前記少なくとも１つのＰＤＣＰ  ＰＤＵを送信することになると決定するステップをさらに備えたことを特徴とする請求項１０に記載の方法。
【請求項１９】
第１の無線リンク制御（ＲＬＣ）エンティティについての構成を受信し、前記第１のＲＬＣエンティティは、第１の媒体アクセス制御（ＭＡＣ）インスタンスにマッピングされており、
第２のＲＬＣエンティティについての構成を受信し、前記第２のＲＬＣエンティティは、第２のＭＡＣインスタンスにマッピングされており、
データ無線ベアラについての構成を含む無線リソース制御（ＲＲＣ）メッセージを受信し、
前記ＤＲＢと関連付けられたＰＤＣＰ  ＰＤＵが、前記第１のＭＡＣインスタンスにマッピングされた前記第１のＲＬＣエンティティを介して送られることになると決定し、
前記第１のＭＡＣインスタンスにマッピングされた前記第１のＲＬＣエンティティと関連付けられた無線リンク失敗を検出したことに応答して、前記第２のＭＡＣインスタンスにマッピングされた前記第２のＲＬＣエンティティを介して前記ＤＲＢと関連付けられた前記ＰＤＣＰ  ＰＤＵを送信する、
ように少なくとも構成されたプロセッサを備えたことを特徴とするワイヤレス送受信ユニット（ＷＴＲＵ）。
【請求項２０】
前記プロセッサは、前記ＤＲＢと関連付けられた前記ＰＤＣＰ  ＰＤＵが、前記第１および第２のＲＬＣエンティティと関連付けられた推定されたスループットに基づいて、前記第１のＭＡＣインスタンスにマッピングされた前記第１のＲＬＣエンティティを介して送られることになると決定するように構成されていることを特徴とする請求項１９に記載のＷＴＲＵ。